(57)【要約】【課題】  本発明は、銀行券、旅券、有価証券、商品タグ及び各種証明書等に偽造、複製の防止用として施す潜像画像を有する印刷物に関するものである。【解決手段】  透過性材料から成る基材上に、基材の透過性を抑える隠ぺい層を積層し、更にその上に、画線状の形状を成すように、有色の色材による第１の要素、くり抜き部又は透過性の高い有色の色材を有する第２の要素及び赤外吸収色素を有する第３の要素を用いて画像形成層を形成し、画像形成層における各要素の要素幅を一部異ならせて画像を形成し、第１の要素による可視画像、第２の要素による基材を透過光下で確認した際に視認可能な第一の潜像画像及び第３の要素による赤外線光源下において確認した際に視認可能な第二の潜像画像を有する印刷物である。【選択図】  図１
2012061775.tif 000002
【特許請求の範囲】
【請求項１】
少なくとも一部が無色及び／又は有色の透過性材料から成る基材において、前記透過性材料から成る前記基材の一部に透過潜像領域が形成され、
前記基材上の透過潜像領域には、前記透過性材料の透過性を抑えるための隠ぺい材料から成る隠ぺい層が形成され、
ｉ）前記隠ぺい層は、前記基材の透過性を隠ぺいする隠ぺい材料が施された第１の隠ぺい面積率から成る第１の隠ぺい領域と、前記基材を一部露出させるために前記隠ぺい材料を施していないくり抜き領域から成る、又は
ｉｉ）前記隠ぺい層は、前記基材の透過性を隠ぺいする隠ぺい材料が施された第１の隠ぺい面積率から成る第１の隠ぺい領域と、前記第１の隠ぺい面積率よりも低い第２の隠ぺい面積率から成る第２の隠ぺい領域により形成され、
更に前記隠ぺい層の上に、複数の第１の要素及び第２の要素が万線状に配置されて画像形成層が形成され、
複数の前記第１の要素は、有色の色材により要素幅が一部異なることで第１の模様部及び第１の背景部に区分けされて可視画像を形成し、
前記ｉ）の場合、前記第１の要素内に、前記有色の色材を施さない第２の要素が形成され、前記第２の要素において要素幅を一部異ならせることで第２の模様部及び第２の背景部に区分けされ、前記くり抜き領域と、前記第２の要素は同じ箇所に配置され、前記第２の要素を複数配置することで第一の潜像画像が形成され、
前記ｉｉ）の場合、前記第１の要素内に、前記有色の色材により透過率３％以上１００％以下の第２の要素が形成され、前記第２の要素において要素幅を一部異ならせることで第２の模様部及び第２の背景部に区分けされ、前記第２の隠ぺい領域と前記第２の要素が同じ箇所に配置され、前記第２の要素を複数配置することで第一の潜像画像が形成され、
前記第１の要素と、前記第２の要素が拡散光領域において等色となるように形成することにより、可視光源下の拡散光領域では前記可視画像が視認され、前記基材を透過光下で観察すると前記第一の潜像画像が視認可能なことを特徴とする透過潜像画像を有する印刷媒体。
【請求項２】
前記ｉ）の場合、前記くり抜き領域と前記第２の要素は、形状及び大きさが等しく、又は、
前記ｉｉ）の場合、前記第２の隠ぺい領域と前記第２の要素は、形状及び大きさが等しいことを特徴とする請求項１記載の透過潜像画像を有する印刷媒体。
【請求項３】
前記第１の要素及び前記第２の要素は、等しい第１のピッチにより配置されていることを特徴とする請求項１又は２記載の透過潜像画像を有する印刷媒体。
【請求項４】
前記第１の要素及び前記第２の要素が、画線又は微小要素群の少なくとも一つ、又はそれぞれの組み合わせから成ることを特徴とする請求項１乃至３のいずれか１項に記載の透過潜像画像を有する印刷媒体。
【請求項５】
少なくとも一部が無色及び／又は有色の透過性材料から成り、かつ、赤外線吸収色素を含む又は赤外線吸収色素を含まない基材上に、透過潜像領域が形成され、
前記透過潜像領域内には、赤外線吸収色素を含まず、かつ、前記透過性材料の透過性を抑えるための隠ぺい材料から成る隠ぺい層が形成され、
ｉｉｉ）前記隠ぺい層は、前記基材の透過性を隠ぺいする隠ぺい材料が施された第１の隠ぺい面積率から成る第１の隠ぺい領域と、前記基材を一部露出させるために前記隠ぺい材料を施していないくり抜き領域から成る、又は
ｉｖ）前記隠ぺい層は、前記基材の透過性を隠ぺいする隠ぺい材料が施された第１の隠ぺい面積率から成る第１の隠ぺい領域と、前記第１の隠ぺい面積率よりも低い第２の隠ぺい面積率から成る第２の隠ぺい領域により形成され、
更に前記隠ぺい層の上に、複数の第１の要素、第２の要素及び第３の要素が万線状に配置されて画像形成層が形成され、
複数の前記第１の要素は、赤外線吸収色素を含まない有色の色材により、要素幅を一部異ならせることで第１の模様部及び第１の背景部に区分けされ、
ｖ）前記第３の要素は、赤外線吸収色素を含む前記有色の色材により、前記第１の要素内に重畳して配置され、又は、
ｖｉ）前記第３の要素は、赤外線吸収色素を含む前記有色の色材により、一部が前記第１の要素に重畳し、かつ、前記第１の要素とは異なる方向に配置され、
前記第３の要素において、要素幅を一部異ならせることで第３の模様部及び第３の背景部に区分けして第二の潜像画像を形成し、
前記ｉｉｉ）の場合、前記基材が赤外線吸収色素を含み、前記第３の要素内に、有色の色材を施さない第２の要素が形成され、前記第２の要素において要素幅を一部異ならせることで第２の模様部及び第２の背景部に区分けされ、前記くり抜き領域と、前記第２の要素は同じ箇所に配置され、前記第２の要素を複数配置することで第一の潜像画像が形成され、
前記ｉｖ）の場合、前記第２の要素は、前記第３の要素内において、前記第２の隠ぺい領域と同じ箇所に重畳して配置され、前記基材が赤外線吸収色素を含む場合、透過率３％以上１００％以下、かつ、赤外線吸収色素を含む又は含まない有色の色材により形成され、又は前記基材が赤外線吸収色素を含まない場合、透過率３％以上１００％以下、かつ、赤外線吸収色素を含む前記有色の色材により形成され、要素幅を一部異ならせることで第２の模様部及び第２の背景部に区分けして第一の潜像画像を形成し、
前記 ｖ）の場合、前記第１の模様部及び前記第１の背景部から成る可視画像が形成され、又は、
前記ｖｉ）の場合、前記第１の模様部と前記第３の背景部及び前記第１の背景部と前記第３の模様部の濃度が等しい可視画像が形成され、
前記第１の要素、前記第２の要素及び前記第３の要素が拡散光領域において等色となるように形成することにより、可視光源下の拡散光領域では前記可視画像が視認され、前記基材を赤外線光下で観察すると前記第二の潜像画像が視認され、さらに、前記基材を透過光下で観察すると前記第一の潜像画像が視認可能なことを特徴とする透過潜像画像を有する印刷媒体。
【請求項６】
前記ｉｉｉ）の場合、前記くり抜き領域と前記第２の要素は、形状及び大きさが等しく、又は、
前記ｉｖ）の場合、前記第２の隠ぺい領域と前記第２の要素は、形状及び大きさが等しいことを特徴とする請求項５記載の透過潜像画像を有する印刷媒体。
【請求項７】
前記 ｖｉ）の場合であって、前記第１の模様部を形成している前記第１の要素の要素幅と、前記第３の背景部を形成している前記第３の要素の要素幅は等しく、かつ、前記第１の背景部を形成している前記第１の要素の要素幅と、前記第３の模様部を形成している前記第３の要素の要素幅が等しいことを特徴とする請求項５又は６記載の透過潜像画像を有する印刷媒体。
【請求項８】
前記 ｖｉ）の場合であって、前記第１の要素により形成されている模様と前記第３の模様部は、形状及び大きさが等しく、同じ位置に形成されていることを特徴とする請求項７に記載の透過潜像画像を有する印刷媒体。
【請求項９】
前記第１の要素、前記第２の要素及び前記第３の要素が、すべて等しい第１のピッチで配置されていることを特徴とする請求項５乃至８のいずれか１項に記載の透過潜像画像を有する印刷媒体。
【請求項１０】
前記第１の要素、前記第２の要素及び前記第３の要素が、画線又は微小要素群の少なくとも一つ、又はそれぞれの組合せから成ることを特徴とする請求項５乃至９のいずれか１項に記載の透過潜像画像を有する印刷媒体。
【発明の詳細な説明】
【技術分野】
【０００１】
本発明は、銀行券、旅券、有価証券、商品タグ、各種証明書や、特に、ＩＤカード等のカード類を対象として、異なる三つの画像である反射光下における画像、透過光下における画像及び赤外線光源下における画像を形成することにより、偽造及び複製を困難とする印刷媒体に関するものである。
【背景技術】
【０００２】
近年、複写機の高機能化及び高画質化により、銀行券、旅券、有価証券等の貴重印刷媒体の偽造製品が出回り、深刻な問題となっている。そのため、従来から貴重印刷媒体には、複写機において再現が不可能となるように、様々な技術が開発されてきた。その中の一つとして、透明又は半透明の基材を用いて画像を形成することで、複写防止効果及び透過光下におけるすかし効果を奏する技術がある。
【０００３】
例えば、透明又は半透明の基材の片面に、第１の印刷層、隠ぺい層及び第２の印刷層を積層し、第２の印刷層から第１の印刷層までを貫通する開口部を設け、点状又は網点状のパターンから成る表示部を形成した偽造防止印刷媒体が開示されている（例えば、特許文献１参照）。
【０００４】
この特許文献１に記載の偽造防止印刷媒体は、パターン以外の開口部が、基材を露出する透明のすかしとなっているため、複写機を用いて複製品の作製を行っても、完全な再現は困難であり、特に、特殊な真偽判定装置が不要で、透過光下において目視により容易に真偽判別が可能であることから、真正品と複製品との高い識別性を有する。また、印刷層には、磁性材料を添加混合させたインキを用いたり、メタメリックな２種類以上の色料を含むインキを用いたり、各種の機能性インキを併用して用いることも可能であるため、より一層の偽造防止効果を図ることが可能である。
【０００５】
また、他の複写及び偽造防止に関する技術として、色、光沢又は発光等の再現が困難な機能性インキを用いるもの等がある。機能性インキには、磁性インキ、蛍光インキ、赤外線領域において吸収特性を示す赤外線吸収インキ等がある。これらの機能性インキを用いた貴重印刷媒体は、複写機での複製に対して効果を奏するものではあるが、単純な文字及び図柄では、材料さえ入手することができれば、比較的簡単に偽造することができてしまうという問題がある。
【０００６】
そこで、本出願人は、機能性インキを使用するだけではなく、高精細な線画構成とすることで、可視画像と、特定の観察条件のみで視認可能な潜像画像を出現させることができる偽造防止印刷物を提案している（例えば、特許文献２参照）。
【０００７】
特許文献２記載の偽造防止印刷物は、第一の画線と第二の画線により構成されており、第一の画線は、赤外線吸収インキにより形成され、Ｗ１及びＷ２という二つの画線幅を有している。なお、画線幅Ｗ１の画線により可視画像を形成している。第二の画線は、赤外線透過インキにより形成されており、Ｗ３及びＷ４という二つの画線幅を有している。なお、画線幅Ｗ３の画線により潜像画像を形成している。第二の画線は、第一の画線上に形成し、それぞれの画線幅は、Ｗ１＞Ｗ２ ≧Ｗ３＞Ｗ４という関係にある。さらに、第一の画線及び第二の画線は、可視光源下において等色に視認されるものとする。
【０００８】
この特許文献２の偽造防止印刷物は、可視光源下において、第一の画線における画線幅Ｗ１の画線により形成された可視画像のみ視認される。さらに、赤外線カメラ等の判別装置を用いて観察した場合には、第一の画線を観察することができず、新たに、第二の画線における画線幅Ｗ３の画線により形成された潜像画像を観察することができる。
【０００９】
さらに、透明領域に３層以上の平面画像が形成され、その透明領域は、片面又は両面に平面画像が設けられている透明な基材シートが積層されており、平面画像の少なくとも一層は、赤外線吸収材料と赤外線透過材料で形成されている偽造防止担体が開示されている（例えば、特許文献３参照）。
【００１０】
この特許文献３に記載の偽造防止担体は、各層が透明な基材シートであることから、積層されている各層に形成された平面画像が、合成された状態で視認することが可能となり、さらに、赤外線画像を読み取れるような判別装置を用いれば、赤外線吸収材料と赤外線透過材料を用いて形成した平面画像のみを確認することが可能となる。
【先行技術文献】
【特許文献】
【００１１】
【特許文献１】特開平１０−７６７４５号公報
【特許文献２】特開２００８−２６５１８９号公報
【特許文献３】特開２００６−６８９８７号公報
【発明の概要】
【発明が解決しようとする課題】
【００１２】
しかしながら、特許文献１に記載の印刷媒体は、第２の印刷層から第１の印刷層までを貫通した開口部を有することにより透明のすかしが形成されるため、透過光下において透明のすかしを確認することで簡単に真偽判別が可能であるが、開口部による透明のすかしは、単純なパターンであり、層構成がわかってしまうと、比較的容易に偽造及び模造することができてしまうという問題があった。
【００１３】
また、開口部による透明のすかしは、単純なパターンであり、連続階調を有するような意匠性を奏する模様を形成するものではないため、意匠性に富んだ模様の形成が望まれている。
【００１４】
さらに、透過光下において透明のすかしを確認する際に、第２の印刷層に形成した絵柄や可視情報も一緒に視認することができてしまい、それぞれ単独とした画像で視認することができず、画像のスイッチ的な効果（切り替わり効果）を奏するものではなかったため、より一層の高度な偽造防止技術が求められていた。
【００１５】
また、特許文献２に記載の偽造防止印刷物は、特殊な線画構成により、可視光で認識可能な可視画像と、赤外線カメラ等の判別装置を用いて視認可能な潜像画像という二つの画像を安価に作製することを達成することができた。しかし、潜像画像は、赤外線カメラ等の判別装置を用いなければ視認することができないため、例えば、銀行、入国管理審査等の各種窓口業務における検査担当者は、簡単な目視検査による真偽判別を行うことができない問題点があった。そこで、特殊な判別装置を用いる鑑定的な真偽判別に加え、特殊な判別装置を用いずに目視によって真偽判別することが可能な技術も付与された偽造防止印刷物が求められている。
【００１６】
また、特許文献３に記載の偽造防止担体は、透明な基材シートを積層し、その各層に平面画像を形成していることから、各層に形成されているそれぞれの平面画像が合成した状態で視認可能であり、その視認角度を傾けていくことで、各層の平面画像の視認状態が変化することもできるため、目視により判別することが可能であるとともに、平面画像が形成されている少なくとも１層が、赤外線吸収材料と赤外線透過材料を用いて形成されているため、赤外線画像を読み取れる判別装置を用いることにより、鑑定的な真偽判別も行え、目視による判別及び判別装置を用いた鑑定的な判別の両方を備えているものではあるが、透明な基材シートに形成されている平面画像は、単純なパターン状のものであるため、層構成が分かってしまうと、比較的容易に偽造されてしまう可能性がある。
【００１７】
さらに、赤外線光源下において視認することができる赤外線画像については、一つの層の平面画像を赤外線吸収材料と赤外線透過材料を用いて形成すれば良く、単に、画像を形成するための材料を、機能性を有する材料としたものであり、材料さえ入手することができてしまえば、同一の画像を形成することもできてしまうという問題を抱えているため、仮に特殊な機能性を有する材料を入手することができたとしても、容易に同一の画像等を形成することができない構成を有するようなセキュリティ性の更に高い印刷媒体が求められていた。
【００１８】
本発明は、上記課題の解決を目的とするものであり、緻密な画線構成を用いることで、偽造及び複製を困難にさせるとともに、特別な判別装置を用いなくても、透過光下において簡単に確認することが可能な潜像画像を備えた印刷媒体を提案する。さらに、その透過光下における判別に加え、判別装置を用いて真偽を確認することが可能な潜像画像という、二通りの異なる判別が行える印刷媒体を提案することを目的とする。
【課題を解決するための手段】
【００１９】
本発明は、少なくとも一部が無色及び／又は有色の透過性材料から成る基材において、透過性材料から成る基材の一部に透過潜像領域が形成され、基材上の透過潜像領域には、透過性材料の透過性を抑えるための隠ぺい材料から成る隠ぺい層が形成され、ｉ）隠ぺい層は、基材の透過性を隠ぺいする隠ぺい材料が施された第１の隠ぺい面積率から成る第１の隠ぺい領域と、基材を一部露出させるために隠ぺい材料を施していないくり抜き領域から成るか、又はｉｉ）隠ぺい層は、基材の透過性を隠ぺいする第１の隠ぺい面積率から成る第１の隠ぺい領域と、第１の隠ぺい面積率よりも低い第２の隠ぺい面積率から成る第２の隠ぺい領域により形成され、更に隠ぺい層の上に、複数の第１の要素及び第２の要素が万線状に配置されて画像形成層が形成され、複数の第１の要素は、有色の色材により要素幅が一部異なることで第１の模様部及び第１の背景部に区分けされて可視画像を形成し、隠ぺい層がくり抜き領域を有しているｉ）の場合、第１の要素内に、有色の色材を施さない第２の領域が形成され、第２の領域において要素幅を一部異ならせることで第２の模様部及び第２の背景部に区分けされ、くり抜き領域と第２の領域は同じ箇所に配置され、第２の領域を複数配置することで第一の潜像画像が形成され、隠ぺい層が第２の隠ぺい領域を有しているｉｉ）の場合、第１の要素内に、有色の色材により透過率３％以上１００％以下の第２の要素が形成され、第２の要素において要素幅を一部異ならせることで第２の模様部及び第２の背景部に区分けされ、第２の隠ぺい領域と、第２の要素が同じ箇所に配置され、第２の要素を複数配置することで第一の潜像画像が形成され、第１の要素と第２の要素が拡散光領域において等色となるように形成することにより、可視光源下の拡散光領域では可視画像が視認され、基材を透過光下で観察すると第一の潜像画像が視認可能なことを特徴とする透過潜像画像を有する印刷媒体である。
【００２０】
また、本発明の透過潜像画像を有する印刷媒体は、隠ぺい層がくり抜き領域を有しているｉ）の場合、くり抜き領域と第２の領域は、形状及び大きさが等しく、又は隠ぺい層が第２の隠ぺい領域を有しているｉｉ）の場合、第２の隠ぺい領域と第２の要素は、形状及び大きさが等しいことを特徴とする。
【００２１】
また、本発明は、少なくとも一部が無色及び／又は有色の透過性材料から成り、かつ、赤外線吸収色素を含む又は赤外線吸収色素を含まない基材上に、透過潜像領域が形成され、透過潜像領域内には、赤外線吸収色素を含まず、かつ、透過性材料の透過性を抑えるための隠ぺい材料から成る隠ぺい層が形成され、ｉｉｉ）隠ぺい層は、基材の透過性を隠ぺいする隠ぺい材料が施された第１の隠ぺい面積率から成る第１の隠ぺい領域と、基材を一部露出させるために隠ぺい材料を施していないくり抜き領域から成るか、又はｉｖ）隠ぺい層は、基材の透過性を隠ぺいする隠ぺい材料が施された第１の隠ぺい面積率から成る第１の隠ぺい領域と、第１の隠ぺい面積率よりも低い第２の隠ぺい面積率から成る第２の隠ぺい領域により形成され、更に隠ぺい層の上に、複数の第１の要素、第２の要素及び第３の要素が万線状に配置されて画像形成層が形成され、複数の第１の要素は、赤外線吸収色素を含まない有色の色材により、要素幅を一部異ならせることで第１の模様部及び第１の背景部に区分けされ、ｖ）第３の要素は、赤外線吸収色素を含む有色の色材により、第１の要素内に重畳して配置されるか、又はｖｉ）第３の要素は、赤外線吸収色素を含む有色の色材により、一部が第１の要素に重畳し、かつ、第１の要素とは異なる方向に配置され、第３の要素の要素幅を一部異ならせることで第３の模様部及び第３の背景部に区分けして第二の潜像画像を形成し、隠ぺい層がくり抜き領域を有しているｉｉｉ）の場合、基材が赤外線吸収色素を含み、第３の要素内に、有色の色材を施さない第２の要素が形成され、第２の要素において要素幅を一部異ならせることで第２の模様部及び第２の背景部に区分けされ、くり抜き領域と、第２の要素は同じ箇所に配置され、第２の要素を複数配置することで第一の潜像画像が形成され、隠ぺい層が第２の隠ぺい領域を有しているｉｖ）の場合、第２の要素は、第３の要素内において、第２の隠ぺい領域と同じ箇所に重畳して配置され、基材が赤外線吸収色素を含む場合、透過率３％以上１００％以下で、かつ、赤外線吸収色素を含む又は含まない有色の色材により形成されるか、又は基材が赤外線吸収色素を含まない場合、透過率３％以上１００％以下で、かつ、赤外線吸収色素を含む前記有色の色材により形成され、要素幅を一部異ならせることで第２の模様部及び第２の背景部に区分けして第一の潜像画像を形成し、第３の要素が第１の要素内に重畳して配置されているｖ）の場合、第１の模様部及び第１の背景部から成る可視画像が形成されるか、又は、第３の要素が第の要素に一部重畳して配置されているｖｉ）の場合、第１の模様部と第３の背景部及び第１の背景部と第３の模様部の濃度が等しい可視画像が形成され、前記第１の要素、第２の要素及び第３の要素が拡散光領域において等色となるように形成することにより、可視光源下の拡散光領域では可視画像が視認され、基材を赤外線光下で観察すると第二の潜像画像が視認され、さらに、基材を透過光下で観察すると第一の潜像画像が視認可能なことを特徴とする透過潜像画像を有する印刷媒体である。
【００２２】
また、本発明の透過潜像画像を有する印刷媒体は、隠ぺい層がくり抜き領域を有しているｉｉｉ）の場合、くり抜き領域と第２の要素は、形状及び大きさが等しく、又は隠ぺい層が第２の隠ぺい領域を有しているｉｖ）の場合、第２の隠ぺい領域と第２の要素は、形状及び大きさが等しいことを特徴とする。
【００２３】
また、本発明の透過潜像画像を有する印刷媒体は、第３の要素が、赤外線吸収色素を含む有色の色材により、一部が第１の要素に重畳し、かつ、第１の要素とは異なる方向に配置されたｉｖ）の場合であって、第１の模様部を形成している第１の要素の要素幅と、第３の背景部を形成している第３の要素の要素幅は等しく、かつ、第１の背景部を形成している第１の要素の要素幅と、第３の模様部を形成している第３の要素の要素幅が等しいことを特徴とする。
【００２４】
また、本発明の透過潜像画像を有する印刷媒体は、第３の要素が、赤外線吸収色素を含む有色の色材により、一部が第１の要素に重畳し、かつ、第１の要素とは異なる方向に配置されたｉｖ）の場合であって、第１の要素により形成されている模様と第３の模様部は、形状及び大きさが等しく、同じ位置に形成されていることを特徴とする。
【００２５】
また、本発明の透過潜像画像を有する印刷媒体は、第１の要素、第２の要素及び第３の要素がすべて等しい第１のピッチで配置されていることを特徴とする。
【００２６】
また、本発明の透過潜像画像を有する印刷媒体は、第１の要素、第２の要素及び第３の要素が、画線又は微小要素群の少なくとも一つ、又はそれぞれの組合せから成ることを特徴とする。
【００２７】
また、本発明の透過潜像画像を有する印刷媒体は、赤外線吸収色素を含む色材が、赤外線領域において、少なくとも一つの吸収ピークを有する材料を含んだ有色インキであることを特徴とする。
【００２８】
また、本発明の透過潜像画像を有する印刷媒体は、赤外線吸収色素を含まない色材が、シアン、マゼンタ及びイエローの有色インキか、又は単色の特色インキであることを特徴とする。
【発明の効果】
【００２９】
本発明の透過潜像画像を有する印刷媒体は、可視光源下で観察した際に可視画像を視認することができ、印刷媒体を透過光下で観察すると、第１の潜像画像を視認することができ、赤外線光源下で観察すると、第２の潜像画像が視認可能となる。つまり、一つの印刷媒体において、観察条件の異なる三つの画像を形成することが可能となり、特に、それぞれの画像は、異なる観察条件下において、スイッチして（画像が切り替わって）確認することができる。
【００３０】
また、本発明の透過潜像画像を有する印刷媒体は、透過光下において画像を確認することができるため、真偽判別については、目視による簡易な手法でも可能であるとともに、赤外線画像を取得可能な判別装置等の鑑定的な手法でも可能であることから、簡易的な判別と鑑定的な判別の両方を行うことができる。
【００３１】
また、本発明の透過潜像画像を有する印刷媒体は、特殊な画線構成により、三つの画像を同一領域内に重なるようなデザインで作製することが容易であり、デザイン上の制約を受けることがなく、階調画像を形成することができる。
【図面の簡単な説明】
【００３２】
【図１】透過潜像画像を有する印刷媒体の一例を示す図である。
【図２】可視画像及び第一の潜像画像の一例を示す図である。
【図３】透過潜像領域の層構成を説明するための図である。
【図４】第１の実施形態の一つ目の態様における隠ぺい層の態様を説明するための図である。
【図５】第１の実施形態の一つ目の態様における透過潜像領域を示す平面図及び模式図の一例である。
【図６】本発明に関わる要素の一例を示す図である。
【図７】本発明に関わる要素幅を一部異ならせることの一例を示す図である。
【図８】第１の実施形態の一つ目の態様における三つの層の層構成を説明するための図である。
【図９】第１の実施形態の一つ目の態様により形成した透過潜像画像を有する印刷媒体、可視光源及び視点の三つの位置関係を示した図である。
【図１０】反射光（拡散光）下及び透過光下における、それぞれの第１の要素及び第２の要素の色差ΔＥを示すグラフである。
【図１１】第１の実施形態の一つ目の態様により形成した印刷媒体を、定位置の可視光源（Ｒ）下の反射光（拡散光）下において、肉眼で視認した場合の平面図及び模式図である。
【図１２】第１の実施形態の一つ目の態様により形成した印刷媒体を、定位置の可視光源下の透過光下において、肉眼で視認した場合の平面図及び模式図である。
【図１３】第１の実施形態の二つ目の態様の隠ぺい層の構成を示す模式図である。
【図１４】第１の実施形態の二つ目の態様の画像形成層の構成を示す模式図である。
【図１５】第１の実施形態の二つ目の態様の三つの層の層構成を説明するための図である。
【図１６】第１の実施形態の三つ目の態様の画像形成層の構成を示す模式図である。
【図１７】第１の実施形態の三つ目の態様の三つの層の層構成を説明するための図である。
【図１８】第２の実施形態の一つ目の態様における隠ぺい層の態様を説明するための図である。
【図１９】第２の実施形態の透過潜像領域を示す平面図及び模式図の一例である。
【図２０】第２の実施形態の一つ目の態様における三つの層の層構成を説明するための図である。
【図２１】白インキ及びマゼンタインキの分光透過率の一例を示すグラフである。
【図２２】ＰＥＴフィルム、白インキ、マゼンタインキ及びブラックインキの分光反射率の一例を示すグラフである。
【図２３】第２の実施形態の一つ目の態様により形成した印刷媒体を、定位置の可視光源（Ｒ）下の反射光（拡散光）下において、肉眼で視認した場合の平面図及び模式図である。
【図２４】第２の実施形態の一つ目の態様により形成した印刷媒体を、定位置の可視光源下の透過光下において、肉眼で視認した場合の平面図及び模式図である。
【図２５】第２の実施形態の一つ目の態様により形成した印刷媒体を、定位置の赤外線光源下において、赤外線表示装置等の装置を介して観察した場合の平面図及び模式図である。
【図２６】第２の実施形態の二つ目の態様における隠ぺい層の態様を説明するための図である。
【図２７】第２の実施形態の二つ目の態様の画像形成層の構成を示す模式図である。
【図２８】第２の実施形態の二つ目の態様における三つの層の層構成を説明するための図である。
【図２９】第２の実施形態の三つ目の態様の画像形成層の構成を示す模式図である。
【図３０】第２の実施形態の三つ目の態様における三つの層の層構成を説明するための図である。
【図３１】本発明に係る要素構成の変形例を示す模式図である。
【図３２】第３の実施形態の透過潜像領域を示す平面図及び模式図の一例である。
【図３３】透過性材料の層構成を説明する図である。
【図３４】実施例１における三つの層の層構成を説明するための図である。
【図３５】実施例２の証明書を説明する図である。
【図３６】実施例２における可視画像、第一の潜像画像及び第二の潜像画像を示す図である。
【図３７】実施例２における三つの層の層構成を説明するための図である。
【発明を実施するための形態】
【００３３】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００３４】
図１は、本発明における透過潜像画像を有する印刷媒体（１）（以下「印刷媒体」という。）の一例を示す図である。この印刷媒体（１）は、図１（ａ）に示すように、少なくとも一部に本発明における透過潜像画像が形成されている透過潜像領域（２）を有している。
【００３５】
この印刷媒体（１）は、可視光源下における反射光（拡散光）下では、図２（ａ）に示すような可視画像（３）を視認することができ、可視光源下における透過光下では、図２（ｂ）に示すような第一の潜像画像（４）を視認することができる効果を奏するものである。この二つの画像の視認原理については後述する。
【００３６】
この透過潜像領域（２）は、印刷媒体（１）の断面図である図１（ｂ）に示すように、三つの層から構成されている。透過潜像領域（２）については、図１に示すように、印刷媒体（１）の一部に形成しても良いが、印刷媒体（１）の全面を透過潜像領域（２）として形成しても良い。また、透過潜像領域（２）を構成している三つの層については、一番下の層から順番に、基材（７）、隠ぺい層（８）及び画像形成層（９）が形成されている。この三つの層について次に説明する。
【００３７】
まず、基材（７）について説明する。基材（７）は、少なくとも一部が無色及び／又は有色の透過性材料（６）を用いて形成されている。無色（透明）の透過性基材としては、ＰＥＴや塩ビ等の材質で形成された透明フィルムがある。また、有色の透過性基材としては、前述の無色（透明）のＰＥＴフィルム等に染料や顔料等の着色成分を含有させたものがあり、また、透過性のある有色インキや有色フィルムを重ねて形成したものでも良い。なお、透過性材料の層構成の例については、後述する。
【００３８】
また、基材（７）に透過性のある金属光沢調フィルム（東レ株式会社製  ＰＩＣＡＳＵＳ等）を用いても良い。金属光沢調フィルムとは、異種ポリマーを多層積層して形成したポリエステルフィルムであり、金属を使用せずに金属調の光沢を得ることが可能な透過性材料のことである。
【００３９】
図１（ｂ）では、印刷媒体（１）の全面、すなわち、基材自体を透過性材料で形成する例で説明したが、本発明の基材（７）は、これに限定されるものではなく、基材（７）の一部が透過性材料で形成されていても良い。
【００４０】
例えば、図３に示すように、透過潜像領域（２）に相当する部分にのみ透過性材料（６）が形成されていても良い。
【００４１】
次に二つ目の層である隠ぺい層（８）について説明する。隠ぺい層（８）は、前述した透過性材料で形成された基材（７）の上に形成され、下層にあたる基材（７）の透過性を抑えるための役割を担っている。また、隠ぺい層（８）は、隠ぺい層（８）の上に形成される画像形成層（９）により形成される可視画像（３）に影響を与えない色彩を有する必要がある。したがって、隠ぺい層（８）は、白インキ等を用いることが可能だが、基材（７）の透過性を抑えられる隠ぺい材料で、かつ、画像形成層（９）の可視画像（３）に影響を与えない材料であれば特に限定されない。本実施の形態では、白インキを用いて形成することで説明する。なお、白インキには、オフセット印刷用ＵＶインキとして、ＤＩＣ株式会社製  ダイキュアＲＴＸ  白又はインクジェット印刷用ＵＶインクとして、東洋インキ製造株式会社製  ＬＩＯＪＥＴ  ＦＶ０３  ホワイト等がある。
【００４２】
図４（ａ）は、隠ぺい層（８）の一部を拡大した模式図であるが、隠ぺい層（８）は、後述する三つ目の層の画像形成層（９）に対応するように、一つの領域から形成されている。この領域は、前述のとおり、下層である基材（７）の透過性を隠ぺいする役割を持っていることから、第１の隠ぺい面積率から成る第１の隠ぺい領域（１１）と定義する。また、隠ぺい材料を形成しない領域を、くり抜き領域（１０）と定義し、このくり抜き領域（１０）は、隠ぺい材料が形成されていないため、基材（７）が露出した状態となる。なお、隠ぺい面積率についての説明は後述する。
【００４３】
この隠ぺい層（８）を構成する第１の隠ぺい領域（１１）の位置関係、形状及び大きさが、画像形成層（９）の要素構成に対応した構成となっている。この隠ぺい層（８）と画像形成層（９）との対応する関係については、後述する視認原理の説明の際に行うこととする。また、本発明において要素とは、画線及び／又は点や画素から成る微小要素群であり、具体的な説明については後述する。
【００４４】
くり抜き領域（１０）について説明する。くり抜き領域（１０）は、第１の隠ぺい領域（１１）内に形成されており、この図４（ａ）のＺ１−Ｚ２における（拡大）断面図である図４（ｂ）に示すように、くり抜き領域（１０）には、白インキが施されていない。したがって、印刷媒体（１）を上方から観察すると、このくり抜き領域（１０）からは、隠ぺい層（８）の下の基材（７）を確認することができることとなる。
【００４５】
このくり抜き領域（１０）についても、後述する画像形成層（９）の要素構成に対応した配置となっており、本発明において、透過光下で確認可能な第一の潜像画像を形成するための重要な役割となっている。なお、画像形成層（９）との位置関係等については、後述する。
【００４６】
次に、三つ目の層である画像形成層（９）について説明する。画像形成層（９）は、可視光源下の反射光（拡散光）下において視認可能な連続階調画像を含む可視画像（３）を要素により形成するものである。そこで、画像形成層（９）の要素構成について図５を用いて説明する。なお、連続階調画像を含む可視画像（３）は、連続階調を有していない二値画像であっても良い。
【００４７】
（第１の実施形態の一つ目の態様）
図５は、第１の実施形態の一つ目の態様の透過潜像領域（２）を示す平面図及び模式図の一例である。図５（ａ）に示すように、本発明の印刷媒体（１）は、プラスチックカード等の透過性材料から成る基材（７）上の少なくとも一部の透過潜像領域（２）に、可視画像（３）が印刷により形成されている。可視画像（３）は、一般的に用いられるシアン（Ｃ）、マゼンタ（Ｍ）、イエロー（Ｙ）及びブラック（Ｂｋ）のインキと、前述の透過性材料の透過性を抑えるための隠ぺい材料である白インキによって形成されている。可視画像（３）は、同一平面上に画線で構成された二つの画像を、特殊な画線構成によって、互いに重畳して配置することにより生成される。なお、特殊な画線構成については、後述する。
【００４８】
図５（ａ）に示した透過潜像領域（２）には、可視画像（３）及び潜像画像である第一の潜像画像（４）が形成されている。なお、第一の潜像画像（４）は、可視画像（３）に埋め込まれており、可視光源下における反射光（拡散光）下では、可視画像（３）が視認されるが、透過光下においては、その第一の潜像画像（４）を視認することが可能となる。図５（ａ）に示した本発明の透過潜像領域（２）は、図５（ｂ）に示す要素構成により、可視光源下における通常の視認条件（以下「第一の視認条件」という。）と、可視光源下において光源に対して基材（７）を透かすという視認条件（以下「第二の視認条件」という。）により、それぞれ異なる模様を視認することができる。
【００４９】
図５（ａ）に示した透過潜像領域（２）は、可視光源下における反射光（拡散光）下で観察した際には、図５（ｃ１）に示すように、可視画像（３）を視認することが可能である。また、可視光源下において、可視光源に対して基材（７）を透かす、つまり、図５（ａ）に示した透過潜像領域（２）を、可視光源下における透過光下で観察した際には、図５（ｃ２）に示すように、第一の潜像画像（４）として視認することが可能である。このように、図５（ａ）に示した可視画像（３）は、観察条件を変えることで出現する異なる模様を有している。なお、この視認原理については、後述する。
【００５０】
ここで、要素構成について、図５（ｂ）の模式図を用いて説明する。図５（ｂ）に示すように、可視画像（３）は、基材（７）上に形成した隠ぺい層（８）の上に、画像形成層（９）として第１の要素（１４）及び第２の要素（１５）により形成されている。
【００５１】
第１の要素（１４）は、第一の方向（Ｘ）に第１のピッチ（ｄ１）で複数配置されている。第１の要素（１４）内には、第２の要素（１５）が重畳して配置されている。可視画像（３）は、それぞれの要素を、所定の範囲内で要素幅又は面積率を変化することで形成されている。なお、可視画像（３）における第１の要素（１４）及び第２の要素（１５）の配置個所は、これに限定されるものではなく、その他の形態の態様については後述する。また、ここでいう「所定の範囲」については後述する。
【００５２】
本発明における要素とは、画線又は点や画素を線状に複数配列したものである。図６は、要素の一例を示す図である。画線とは、例えば、図６（ａ）に示す直線、図６（ｂ）に示す破線、図６（ｃ）に示す波線、図６（ｄ）に示す破線状の波線であり、画線幅の太細により印刷部の濃淡を再現する。画線幅は、一般的に３０〜１０００μｍが用いられる。線状に複数配列した点とは、網目スクリーン、コンタクトスクリーン等により、印刷物上に構成された点であり、この点の大小により印刷物の濃淡を再現する。線状に複数配列された点は、微小な点の集合体であることから、肉眼では、１本の線として視認されることとなる。点の形状は、円形ドットに限定されるものではなく、ランダムドットや本出願人が先に出願した特開平１１−２６８２２８号公報で提案している特殊網点生成法を用いて意匠性を加味した入力画像を網点（ハーフトーンスクリーン）から成る連続階調網点に変換した自由度のある特殊網点形状を用いても良い。
【００５３】
線状に複数配列した画素とは、図形、文字等の二次元画像を縦横の線で分割した最小単位のことである。画素形状としては、例えば、図６（ｅ）に示すような円形状、図示していないが楕円形状、図６（ｅ）に示す長方形状、図６（ｇ）に示す三角形状等の多角形状としても良い。また、画素は、図６（ｇ）に示すように、角度を異ならせて配列しても良い。さらには、図６（ｈ）に示すように、文字形状としても良い。その際には、偽造防止効果を高めるために図６（ｈ）のように、文字書体を異ならせて配列しても良い。なお、図６（ｈ）に示した文字形状は、一般的に微小文字又は特殊網点と呼ばれるが、本発明においては、画素とする。また、線状に複数配列した画素についても、微小な画素の集合体であることから、肉眼では、１本の線として視認されることとなる。これらの要素を微小な点及び画素の集合体で形成した群を、本発明では、「微小要素群」と定義する。したがって、図６（ｅ）〜（ｈ）に示した要素は、本発明の微小要素群により形成されているものである。
【００５４】
さらに、図６（ｉ）に示すように、波線と破線状の波線のように、二種類以上の画線を組み合わせたり、図６（ｊ）に示すように、文字形状、円形状及び長方形状等から、二種類以上の画素を組み合わせたりしても良い。さらに、図６（ａ）から図６（ｊ）に示した、線状に複数配列した点群及び画素群のいずれか二種類以上を組み合わせて構成しても良い。なお、第１の実施形態については、要素を画線として説明する。
【００５５】
図７は、所定の範囲内で要素幅又は面積率を変化する一例を示す図である。図７（ａ）に示すように、画線を所定の範囲内で要素幅又は面積率を変化するとは、画線を所定の範囲（Ｌ１）において、画線幅を異ならせることをいう。また、図７（ｂ）に示すように、線状に複数配列した点を所定の範囲内で要素幅又は面積率を変化するとは、線状に複数配列した点を所定の範囲（Ｌ１）において、点の大きさを異ならせることをいう。さらに、図７（ｃ）に示すように、画素を所定の範囲内で要素幅又は面積率を変化させるとは、画素を所定の範囲（Ｌ１）において、画素数を変化させることをいう。なお、前述の要素構成については、要素を画線として説明することから、所定の範囲内で要素幅又は面積率を変化するとは、画線幅を所定の範囲において、異ならせることとする。なお、ここでいう「所定の範囲」とは、形成したい各画像となるように、要素の幅を変更する範囲のことであり、形成したい画像の形状に合わせて、適宜設定すれば良い。
【００５６】
図５（ｃ１）は、可視画像（３）及びその可視画像を形成する第１の要素（１４）の一例を示す図である。第１の要素（１４）は、複数配置されることで、可視光源下における反射光（拡散光）下において視認可能な可視画像（３）を形成する。可視画像（３）は、第１の要素（１４）を、第一の方向（Ｘ）に第１のピッチ（ｄ１）で複数配置することで形成されている。可視画像（３）は、第１の要素（１４）において所定の範囲内で画線幅を、最大画線幅（Ｗ１）と最小画線幅（Ｗ２）に一部異ならせることにより、第１の模様部（１４ａ）と第１の背景部（１４ｂ）に区分けされる。第１の模様部（１４ａ）は、「Ａ」という文字を形成する領域であり、第１の背景部（１４ｂ）は「Ａ」という文字を形成する領域以外の背景を形成する領域である。第１の要素（１４）は、有色の色材を用いて形成する。
【００５７】
第１の実施形態においては、第１の要素（１４）内に第２の要素（１５）が構成されている。第１の要素（１４）及び第２の要素（１５）は、可視光源下における反射光（拡散光）下において等色に視認されることで、第１の要素（１４）のみ視認可能となる。それにより、可視光源下における反射光（拡散光）下において、肉眼では、第１の要素（１４）から成る可視画像（３）のみが視認可能となる。
【００５８】
本発明における等色とは、色差ΔＥが６未満のことを指す。一般的に色差ΔＥが６前後においては、異なって視認される可能性がある。ただし、前述のとおり本発明においては、第１の要素（１４）及び第２の要素（１５）は、肉眼では、それぞれの領域を区別して視認することができない画線幅により構成している。そのことから、前述の通り、色差ΔＥが６未満であれば、可視光源下の拡散光反射領域において、肉眼で第２の要素（１５）を視認することができず、かつ、第１の要素（１４）及び第２の要素（１５）は等色として視認される。
【００５９】
本発明における色差は、ＣＩＥ１９７６Ｌ＊ａ＊ｂ＊表色系のΔＥで定義するものとする。ＣＩＥ１９７６Ｌ＊ａ＊ｂ＊表色系とは、ＣＩＥ（国際照明委員会）が１９７６年に推奨した色空間のことであり、日本工業規格では、ＪＩＳ  Ｚ  ８７２９に規定されている。色差は、ある二色の色空間中における距離のことであり、ＣＩＥ１９７６Ｌ＊ａ＊ｂ＊表色系での色差は、二色のＬ＊の差、ａ＊の差、及びｂ＊の差をそれぞれ二乗して加え、その平方根をとることで求めることができる。
【００６０】
色差ΔＥが変化するとは、例えば、印刷インキを作製し、透過性材料を用いた基材上に印刷部として付与して印刷媒体Ａを作製する。同様に、印刷インキを作製し、透過性のない材料を用いた基材上に印刷部として付与して印刷媒体Ｂを作製する。定位置に設置した照明光源下において、反射光（拡散光）での印刷媒体Ａと印刷媒体Ｂの色差ΔＥをｅとする。次に、印刷媒体Ａ及び印刷媒体Ｂを定位置に設置した照明光源下において、透過光での印刷媒体Ａと印刷媒体Ｂの色差ΔＥを測定する。その測定した際の色差ΔＥが前述したｅとは異なる値であるならば、色差ΔＥが変化したことになる。
【００６１】
なお、メタメリズムの関係により、可視光源下の反射光（拡散光）下において観察した際に、肉眼で等しい色に視認された色が、特定の光源下の反射光（拡散光）下において観察した際に、異なる色で視認された場合においても、本発明においては、第１の要素（１４）及び第２の要素（１５）は、等色に形成されているとする。
【００６２】
図５（ｃ２）は、第一の潜像画像（４）及びその第一の潜像画像を形成する第２の要素（１５）の一例を示す図である。第２の要素（１５）は、図５（ｃ２）に示した、可視光源下において、基材（７）を光源に対してすかして観察することで視認可能な第一の潜像画像（４）を形成する領域である。第２の要素（１５）は、第１の要素（１４）内に重畳して配置されている。第一の潜像画像（４）は、第２の要素（１５）を、第一の方向（Ｘ）に第１の要素（１４）と同じ第１のピッチ（ｄ１）で複数配置することで形成されている。第一の潜像画像（４）は、第２の要素（１５）において、所定の範囲内で画線幅を最大画線幅（Ｗ３）と最小画線幅（Ｗ４）に変化させることで、第２の模様部（１５ａ）と第２の背景部（１５ｂ）に区分けされる。第２の模様部（１５ａ）は、「Ｃ」という文字を形成する領域であり、第２の背景部（１５ｂ）は、「Ｃ」という文字を形成する領域以外の背景を形成する領域である。なお、第２の要素（１５）における「所定の範囲」についても、前述した第１の要素（１４）の意味と同じである。
【００６３】
図５（ｂ）は、前述した第１の要素（１４）及び第２の要素（１５）を、印刷媒体（１）上で刷り重ねた状態を示したものである。第２の要素（１５）の最大画線幅（Ｗ３）は、第１の要素（１４）の最小画線幅（Ｗ２）以下となっている。それにより、第２の要素（１５）は、第１の要素（１４）内における第１の模様部（１４ａ）及び第１の背景部（１４ｂ）のいずれにおいても配置することが可能である。
【００６４】
なお、第１の実施形態の一つ目の態様では、第２の要素（１５）に印刷を行わない、第２の要素（１５）をくり抜いた状態とする。そうすることで、実際の印刷媒体（１）における第２の要素（１５）は、隠ぺい材料が印刷されていないくり抜き領域（１０）及び第２の要素（１５）を介して、基材（７）の透過性を確認することができることとなり、結果的には、第２の要素（１５）は、透過性材料により形成されていることとなる。
【００６５】
その構成を図示したものが、図８である。図８（ａ）に示すように、透過性の基材（７）上に、隠ぺい材料による隠ぺい層（８）を形成し、その上に、色材（例えば、印刷インキ）により画像形成層（９）を形成する。ただし、第２の要素（１５）については、色材（例えば、印刷インキ）が何もない状態となっている。この色材（例えば、印刷インキ）が何もない第２の要素（１５）と、隠ぺい層（８）において、隠ぺい材料を施さないくり抜き領域（１０）とが同じ位置となるように配置されている。
【００６６】
図８（ａ）において、Ｚ１−Ｚ２における断面図を示すのが図８（ｂ）である。図８（ａ）に示すように、画像形成層（９）において、第２の要素（１５）は、何も印刷されておらず、同時に、隠ぺい層（８）においても、一部が隠ぺい材料を施さないくり抜き領域（１０）となっている。隠ぺい材料を施さないくり抜き領域（１０）は、第２の要素（１５）と同じ大きさで、かつ、同じ形状である。
【００６７】
なお、隠ぺい材料を透過性の基材（７）の上に印刷するのは、可視画像（３）の視認性に影響を与えないために、透過性を隠ぺいする役割を担っているからである。
【００６８】
（第１の実施形態における画像の視認原理）
可視光源下の反射光（拡散光）下において、第１の要素（１４）及び第２の要素（１５）は、等色で視認されることで、肉眼では、第一の潜像画像（４）を視認することができず、反対に可視光源下の透過光下においては、肉眼で第一の潜像画像（４）を視認可能となるように構成する。一般的に物体の色は、光源、観察環境（温度）、物体の分光反射率等により決定される。これらの観察条件により視認する色の感じ方はそれぞれ異なるが、本発明において観察条件とは、一定の条件（例えば、観察条件：光源がＤ６５で観察環境が２０℃等）であるものとする。
【００６９】
図９は、本発明に係る印刷媒体（１）を、定位置の可視光源（Ｒ）に対して観察位置を反射光（拡散光）下及び透過光下で観察した際の可視光源（Ｒ）、視点（Ｅ１、Ｅ２）及び印刷媒体（１）の三つの位置関係を示した図である。可視光源（Ｒ）と視点（Ｅ１）と印刷媒体（１）が、図９（ａ）に示す位置関係にあるとき、反射光（拡散光）下で観察したことになる。また、可視光源（Ｒ）と視点（Ｅ２）と印刷媒体（１）が図９（ｂ）に示す位置関係にあるときは、透過光下で観察したことになる。
【００７０】
次に、観察位置の変化により、第１の要素（１４）と第２の要素（１５）との色差ΔＥが所定の値に変化する原理について説明する。前述のとおり、本発明における反射光（拡散光）とは、定位置の照明光源からの入射光角度が４５°の場合において、受光角度が−１０〜１０°となる位置であり、透過光とは、定位置の照明光源と視点（Ｅ２）を結ぶ直線上に印刷媒体（１）を置き、印刷媒体（１）を照明光源に対してすかして観察する位置のことである。印刷媒体（１）において、第１の要素（１４）及び第２の要素（１５）は、図９（ａ）に示す反射光（拡散光）を意味する位置関係では、等色であり、肉眼ではそれぞれの領域を区別して視認することができず、可視画像（３）のみ視認される。
【００７１】
反対に、図９（ｂ）に示す透過光において、第２の要素（１５）は、透過性材料を用いた基材（７）で形成している。それにより、観察位置を定位置の照明光源に対して反射光（拡散光）下から透過光下へ変化させることで、明度及び／又は色が変化し、第１の要素（１４）と第２の要素（１５）の色差ΔＥが所定の値変化する。よって、第２の要素（１５）は視認可能となり、第一の潜像画像（４）が視認可能となる。
【００７２】
図１０は、本発明に係る反射光（拡散光）下又は透過光下おける、それぞれの第１の要素（１４）と第２の要素（１５）の色差ΔＥを示すグラフであり、図１０の左側は、反射光（拡散光）における第１の要素（１４）と第２の要素（１５）の色差ΔＥを示し、図１０の右側は、透過光下における第１の要素（１４）と第２の要素（１５）の色差ΔＥを示す。なお、図１０における要素構成は、図５（ｂ）と同じ要素構成とする。
【００７３】
測定サンプルは、まず、測定サンプルＡ（４×４ｃｍ）とし、第２の要素（１５）を画線幅１４０μｍの一定幅及びピッチ６００μｍとして、０．２ｍｍの厚さを有するＰＥＴフィルムを基材（７）とし、基材（７）上に、隠ぺい層（８）として、第１の隠ぺい領域（１１）におけるくり抜き領域（１０）を、第２の要素（１５）と同じ画線幅及びピッチとし、白インキ（東洋インキ製造株式会社製  ＬＩＯＪＥＴ  ＦＶ０３  ホワイト）を用いて、インクジェット印刷により、第１の隠ぺい領域（１１）のみをベタ印刷とし、画像形成層（９）として、第１の要素（１４）を印刷せずに、第２の要素（１５）も何も印刷しない状態としてインクジェット印刷により作製した。
【００７４】
また、測定サンプルＢ（４×４ｃｍ）は、第１の要素（１４）を画線幅１４０μｍの一定幅及びピッチ６００μｍとして、０．２ｍｍの厚さを有するＰＥＴフィルムを基材（７）とし、基材（７）上に、隠ぺい層（８）として第１の隠ぺい領域（１１）のみ（くり抜き領域（１０）がない状態）とし、白インキ（東洋インキ製造株式会社製、ＬＩＯＪＥＴ  ＦＶ０３  ホワイト）を用いて、インクジェット印刷によりベタ印刷とし、画像形成層（９）として、第２の要素（１５）を印刷せずに第１の要素（１４）をプロセスインキ（東洋インキ製造株式会社製  ＬＩＯＪＥＴ  ＦＶ０３  ブラック）を用いて、インクジェット印刷により作製した。
【００７５】
図１０に示した反射光（拡散光）下における第１の要素（１４）及び第２の要素（１５）の色差ΔＥを示すグラフと、図１０に示した透過光下における第１の要素（１４）及び第２の要素（１５）の色差ΔＥは、自記分光光度計（ＨＩＴＡＣＨＩ製、Ｕ−４０００形）を用いて、前記測定サンプルＡ及び測定サンプルＢの波長４００〜７００ｎｍの分光反射率及び分光透過率を測定し、得られた値から色差ΔＥを算出した。
【００７６】
図１０に示したように、反射光（拡散光）下においては、第１の要素（１４）及び第２の要素（１５）との色差ΔＥは、１．５１と相対的に小さい値を示している。前述した通り、色差ΔＥが６未満であれば等色として視認されることから、反射光（拡散光）下においては、第１の要素（１４）及び第２の要素（１５）は等色といえる。よって、第１の要素（１４）及び第２の要素（１５）は、肉眼で識別することが困難であり、その結果、透過潜像領域（２）内に形成された第一の潜像画像（４）は視認することができない。
【００７７】
反対に、図１０に示した透過光下においては、第１の要素（１４）及び第２の要素（１５）との色差ΔＥが、７．１２を示している。反射光（拡散光）下における、第１の要素（１４）及び第２の要素（１５）との色差ΔＥが１．５１に対して、透過光下における、第１の要素（１４）及び第２の要素（１５）との色差ΔＥは７．１２である。つまり、観察位置を反射光（拡散光）下から透過光下へ変化させることで、色差ΔＥは、１．５１から７．１２へと、５．６１変化する。よって、色差ΔＥが５以上変化することで、第１の要素（１４）及び第２の要素（１５）は、肉眼で識別することが可能となり、その結果、透過潜像領域（２）内に形成された第一の潜像画像（４）を視認することが可能となる。
【００７８】
なお、同じ観察条件下においては、可視光源（Ｒ）に対し、観察位置を変えることにより、反射光（拡散光）下と透過光下を切り替えられる。つまり、基材（７）を可視光源（Ｒ）に対してすかして見ることで、第１の要素（１４）及び第２の要素（１５）は肉眼で識別することが可能となる。その結果、透過潜像領域（２）内に形成された第一の潜像画像（４）を視認することが可能となる。
【００７９】
（可視画像の視認原理）
図１１は、本発明に係る印刷媒体（１）の透過潜像領域（２）を、定位置の可視光源（Ｒ）下の反射光（拡散光）下において、肉眼で視認した場合の平面図及び模式図である。図１１（ａ１）に示した透過潜像領域（２）は、図１１（ａ２）に示すように、可視光源（Ｒ）下の反射光（拡散光）下において、第１の要素（１４）が肉眼で視認可能となる。つまり、可視画像（３）を視認することが可能となる。第２の要素（１５）は、可視光源下の反射光（拡散光）下において、第１の要素（１４）と等色として視認されることで、肉眼では、区別することが不可能となり、第２の要素（１５）で形成した第一の潜像画像（４）は、肉眼で視認することはできない。
【００８０】
図１１（ｂ）は、印刷媒体（１）を定位置の可視光源（Ｒ）下の反射光（拡散光）下において、肉眼で視認した場合の模式図である。図１１（ｂ）を用いて、可視光源（Ｒ）下の反射光（拡散光）下における可視画像（３）の視認原理を説明する。印刷媒体（１）を、可視光源（Ｒ）下の反射光（拡散光）下において、肉眼で視認した際には、まず、第１の要素（１４）に対して、可視光源（Ｒ）からの入射光（Ｒ１）によって、正反射光と拡散光（Ｒ２）が生じ、反射光（拡散光）では、拡散光（Ｒ２）が得られる。
【００８１】
第２の要素（１５）に対しては、可視光源（Ｒ）からの入射光（Ｒ１）によって、正反射光と拡散光（Ｒ３）が生じ、反射光（拡散光）では、拡散光（Ｒ３）が得られる。第１の要素（１４）と第２の要素（１５）は、可視光源下の反射光（拡散光）下で観察した時に等色になるように形成されていることから、それぞれの領域における拡散光の差異は、肉眼では確認することができない。
【００８２】
可視光源下における反射光（拡散光）下においては、可視画像（３）及び第一の潜像画像（４）の拡散光の強さは、略一定である。よって、第１の要素（１４）内に第２の要素（１５）を重畳して配置し、第１の要素（１４）を、第２の要素（１５）よりも、画線幅を太くすることで、第一の潜像画像（４）は、可視画像（３）内に隠ぺいされる。よって、可視光源下の反射光（拡散光）下において、印刷媒体（１）を観察した場合、第１の要素（１４）から構成されている可視画像（３）のみを視認することができ、第２の要素（１５）から構成されている第一の潜像画像（４）を視認することはできない。
【００８３】
（第一の潜像画像の視認原理）
図１２は、印刷媒体（１）の透過潜像領域（２）を、定位置の可視光源（Ｒ）下の透過光下において、肉眼で視認した場合の平面図及び模式図である。図１２（ａ１）に示した透過潜像領域（２）は、図１２（ａ２）に示すように、可視光源（Ｒ）下の透過光下において、第２の要素（１５）が肉眼で視認可能となる。つまり、第一の潜像画像（４）を視認することが可能となる。第２の要素（１５）は、可視光源下の透過光下において色差ΔＥが変化して視認されることで、第１の要素（１４）と肉眼で区別することが可能となり、第２の要素（１５）で形成した第一の潜像画像（４）を、肉眼で視認することができる。
【００８４】
図１２（ｂ）を用いて、可視光源（Ｒ）下の透過光下における第一の潜像画像（４）の視認原理について説明する。印刷媒体（１）を、可視光源（Ｒ）下の透過光下において、肉眼で視認した際には、まず、第１の要素（１４）に対しては、可視光源（Ｒ）からの入射光（Ｒ１）によって、透過光（Ｒ４）が得られる。また、第一の潜像画像（４）を形成する第２の要素（１５）では、透過光（Ｒ５）が得られる。
【００８５】
よって、第２の要素（１５）は、透過性材料で形成しており、第２の要素（１５）の透過光（Ｒ５）は、第１の要素（１４）の透過光（Ｒ４）よりも明るくなり、その明度の差異によって、第１の要素（１４）に対して第２の要素（１５）に色差ΔＥの差異が生じて潜像画像として第一の潜像画像（４）を視認することができる。よって、可視光源下の透過光下においては、印刷媒体（１）を観察した場合、新たに第一の潜像画像（４）を視認することができる。
【００８６】
（第１の実施形態の二つ目の態様）
次に、本発明の別の形態について説明するが、第１の層である基材（７）については、第１の実施形態の一つ目の態様と同様であるため省略することとし、併せて、第２の層である隠ぺい層（８）及び第３の層である画像形成層（９）の一部についても第１の実施形態の一つ目の態様と重複するところは省略することとする。
【００８７】
第１の実施形態の二つ目の態様では、第１の実施形態の一つ目の態様と異なるところとして、隠ぺい層（８）及び画像形成層（９）において、それぞれの層にくり抜き領域を形成せず、隠ぺい面積率及び透過率の差異により潜像画像を形成するところである。
【００８８】
まず、隠ぺい層（８）における層構成について、図１３を用いて説明する。隠ぺい層（８）は、第１の実施形態の一つ目の態様と同様、基材（７）の透過性を隠ぺいする役割を担っているため、やはり白インキを用いて形成する。ただし、第１の実施形態の一つ目の態様におけるくり抜き領域（１０）に該当する箇所にも白インキを印刷することとするが、周辺の隠ぺい面積率よりも低い隠ぺい面積率によって形成することとし、この領域を第２の隠ぺい領域（１２）と定義する。なお、第１の隠ぺい領域（１１）は、第１の隠ぺい面積率により形成され、第２の隠ぺい領域（１２）は、第２の隠ぺい面積率により形成されていることとする。
【００８９】
したがって、隠ぺい層（８）を構成している第１の隠ぺい領域（１１）及び第２の隠ぺい領域（１２）の隠ぺい面積率の関係は、第１の隠ぺい面積率＞第２の隠ぺい面積率となる。ただし、第２の隠ぺい領域（１２）は、透過光において下層の基材（７）の透過性を視認することができる程度とする必要があるため、第２の隠ぺい面積率については、０％以上１００％未満の範囲とする必要がある。
【００９０】
また、第１の隠ぺい領域（１１）は、透過光において下層の基材（７）の透過性を抑える必要があるため、第１の隠ぺい面積率については、０％よりも大きく、１００％以下の範囲とする必要がある。なお、前述のとおり、第２の隠ぺい領域（１２）は、白インキを印刷することで、第１の実施形態の一つ目の態様におけるくり抜き領域（１０）と区分けして定義しているが、第２の隠ぺい面積率を０％としても良い。例えば、第１の実施形態の一つ目の態様と同様に、第１の隠ぺい領域（１１）の第１の隠ぺい面積率を１００％、第２の隠ぺい領域（１２）の第２の隠ぺい面積率を０％としても良い。
【００９１】
第２の隠ぺい領域（１２）を、第１の隠ぺい領域（１１）よりも隠ぺい面積率を低くすることにより、前述のとおり、透過光下において基材（７）における透過性を視認することができることとなるため、第２の隠ぺい領域（１２）を複数配置することで、第一の潜像画像（４）を形成することとなる。なお、第１の隠ぺい面積率及び第２の隠ぺい面積率の双方を０％又は０％に近似した設定とする、すなわち、隠ぺい層（８）を略除いた設定とした場合でも、印刷物として第２の隠ぺい領域（１２）（第２の要素（１５））の透過率が第１の隠ぺい領域（１１）（第１の要素（１４））よりも高ければ、透過光下における第一の潜像画像（４）は視認可能である。しかし、第１の隠ぺい面積率と第２の隠ぺい面積率が近似すると、透過光下における第一の潜像画像（４）の視認性が低下するおそれもあるので、第１の隠ぺい面積率及び第２の隠ぺい面積率を適宜設定する必要がある。
【００９２】
ここで、隠ぺい面積率とは、隠ぺい層（８）における第１の隠ぺい領域（１１）又は第２の隠ぺい領域（１２）の単位面積当りに隠ぺい材料を形成する面積の割合のことである。例えば、第２の隠ぺい領域（１２）において、第２の隠ぺい面積率８０％とは、第２の隠ぺい領域（１２）に隠ぺい材料を形成する面積の割合が８０％のことである。
【００９３】
よって、第２の隠ぺい面積率を第１の隠ぺい面積率よりも隠ぺい面積率を低くするというのは、隠ぺい面積率を下げることにより下層である基材（７）を隠ぺいする割合が低くなり、第１の隠ぺい領域（１１）よりも第２の隠ぺい領域（１２）の透過性の低下を抑えることになる。つまり、印刷媒体（１）を定位置の照明光源に対して、反射光（拡散光）下から透過光下へ変化させた際に、第１の隠ぺい領域（１１）に対応する画像形成層（９）の第１の要素（１４）の透過光よりも第２の隠ぺい領域（１２）に対応する画像形成層（９）の第２の要素（１５）の透過光のほうが明るくなり、結果的に透過光下における第一の潜像画像（４）の視認性を低下させないためである。
【００９４】
また、第２の隠ぺい領域（１２）に隠ぺい材料を形成することにより、第１の隠ぺい領域（１１）の透過光と第２の隠ぺい領域の透過光の明るさ（強さ）が近似し、透過光下における第一の潜像画像（４）の視認性が低下するおそれもある。よって、第２の隠ぺい領域（１２）の第２の隠ぺい面積率は、第２の隠ぺい領域（１２）の透過光に留意しながら適宜設定する必要がある。
【００９５】
次に、第１の実施形態の二つ目の態様における画像形成層（９）について説明する。この画像形成層（９）については、第１の実施形態の一つ目の態様と同様に、可視光源下における反射光（拡散光）下において視認可能な可視画像（３）を形成するものであり、可視画像を形成するための基本的な要素構成は、第１の実施形態の一つ目の態様と同じである。
【００９６】
第１の実施形態の一つ目の態様では、第一の潜像画像（４）を形成するために、第１の要素（１４）内において、隠ぺい層（８）内に形成したくり抜き領域（１０）と同じ位置に、第２の要素（１５）をくり抜いた状態で形成するものであったが、第１の実施形態の二つ目の態様においては、第１の実施形態の一つ目の態様におけるくり抜いた第２の要素（１５）に該当する箇所に、くり抜きを行わず、透過率の高いインキ層で第２の要素（１５）を形成し、最下層である基材（７）の透過性を伴わせることとする。
【００９７】
画像形成層（９）における第２の要素（１５）については、二通りの形成方法があり、まず、一つ目について、本第１の実施形態の二つ目の態様として、図１４を用いて説明し、二つ目は、後述する第１の実施形態の三つ目の態様として説明する。
【００９８】
図１４に示すように、画像形成層（９）は、可視画像（３）を形成するための第１の要素（１４）と、第一の潜像画像（４）を形成するための第２の要素（１５）を備えているところは、第１の実施形態の一つ目の態様と同様である。ただし、前述のとおり、第１の要素（１４）内において、第一の潜像画像（４）を形成するための第２の要素（１５）は、第１の要素（１４）と区別することができない。
【００９９】
図１４（ａ）では、下層の第１の隠ぺい領域（１１）及び第２の隠ぺい領域（１２）との位置関係を示すため、第１の要素（１４）内に画線により図示しているが、図１４（ｂ）に断面図として示したように、実際には、第１の要素（１４）内に、第二の要素（１５）に該当するような領域は存在しない。ただし、この画線により図示している領域は、本第１の実施形態の二つ目の態様においては、第一の潜像画像（４）を形成するための領域となるため、第１の実施形態の一つ目の態様と同様に、第２の要素（１５）と定義する。
【０１００】
第２の要素（１５）は、第１の実施形態の一つ目の態様における第１の要素（１４）により全体を構成しているものである。ただし、下層である隠ぺい層（８）における第２の隠ぺい領域（１２）を介して、透過光において最下層の基材（７）の透過性を視認することができる程度の透過率とする必要がある。よって、第２の要素（１５）の透過率は、３％以上１００％以下の範囲とする必要がある。なお、本発明における第２の要素（１５）の透過率を３％以上１００％以下の範囲とすることとは、第２の要素自体の分光透過率が特定波長領域で３％以上１００％以下となるということではなく、最下層の基材（７）を全く確認することができない状態を０％とし、最下層の基材（７）が完全に透過している状態を１００％することを基準とした場合の３％以上１００％以下の範囲を意味するものである。
【０１０１】
また、この第２の要素（１５）は、反射光（拡散光）下において第一の潜像画像（４）を視認することができない状態とするために、第２の要素（１５）を形成することにより、反射光（拡散光）下において、隠ぺい層（８）における第２の隠ぺい領域（１２）を介して視認可能な基材（７）と、隠ぺい層（８）における第１の隠ぺい領域（１１）の色彩が等色となるようにする必要がある。反射光（拡散光）下において、第1の要素（１４）と第２の要素（１５）との色彩が等色となるように形成する。
【０１０２】
第１の実施形態の二つ目の態様おける層構成を図示したものが図１５である。図１５（ａ）に示すように、基材（７）の上に形成する隠ぺい層（８）の第１の隠ぺい領域（１１）と、更にその上に形成する画像形成層（９）の第１の要素（１４）は、同じ位置に配置され、画像形成層（９）の第２の要素（１５）は、第１の要素（１４）内に配置され、同様に、第２の隠ぺい領域（１２）と、第２の要素（１５）は同じ位置に配置される。なお、図１５（ｂ）に示すように、実際に第一の潜像画像（４）を形成する領域となる隠ぺい層（８）に形成される第２の隠ぺい領域（１２）の上には、第１の要素（１４）と第２の要素（１５）が反射光（拡散光）下において等色となるように形成した、透過率３％以上１００％以下の範囲の第２の要素（１５）が配置されている。
【０１０３】
図１５に示した層構成とすることで、第１の実施形態の一つ目の態様と同様に、可視光源下における反射光（拡散光）下では、画像形成層（９）の第１の要素（１４）によって形成された可視画像（３）が視認される。そして、印刷媒体（１）を光源に対してすかしたときに、第２の要素（１５）を介して、第１の隠ぺい領域（１１）よりも隠ぺい面積率の低い第２の隠ぺい領域（１２）を更に介して基材（７）を確認することができることで第２の要素（１５）が形成され、この第２の要素（１５）が複数配置されたことにより形成された第一の潜像画像（４）を視認することが可能となる。
【０１０４】
（第１の実施形態の三つ目の態様）
次に、第１の実施形態の三つ目の態様として、前述した画像形成層（９）における一つ目の形成方法とは別に、第２の要素（１５）の二つ目の形成方法について、図１６を用いて説明する。第１の要素（１４）については、前述した画像形成層（９）（第１の実施形態の二つ目の態様）と同様であるが、第２の要素（１５）においては、下層の隠ぺい層（８）に形成する第２の隠ぺい領域（１２）と同じ位置に該当する箇所に形成する。したがって、第１の要素（１４）及び第２の要素（１５）は、２色により形成されていることとなる。なお、第２の要素（１５）は、透過率３％以上１００％以下の範囲で形成する。この範囲よりも低いと、最下層の基材（７）の透過性を確認することができなくなってしまう。
【０１０５】
前述のとおり、隠ぺい層（８）に形成した第２の隠ぺい領域（１２）は、基材（７）の透過性を確認することができる程度に隠ぺい面積率を低く形成しているため、第２の要素（１５）の透過率を高く形成することで、下層の第２の隠ぺい領域（１２）を介して、最下層の基材（７）の透過性が透過光において確認可能となる。ただし、反射光（拡散光）においては、第一の潜像画像（４）を視認不可能とするため、第１の要素（１４）と第２の要素（１５）は、反射光（拡散光）下においては、等色となるように形成する。
【０１０６】
第１の実施形態における三つ目の態様の層構成を図示したものが図１７である。図１７（ａ）及び（ｂ）に示すように、基材（７）の上に形成する隠ぺい層（８）の第１の隠ぺい領域（１１）と、その上に形成する画像形成層（９）の第１の要素（１４）は、同じ位置に配置される。
【０１０７】
図１７に示した層構成とすることで、第１の実施形態における一つ目の態様及び二つ目の態様と同様に、可視光源下における反射光（拡散光）下では、画像形成層（９）の第１の要素（１４）によって形成された可視画像（３）が視認される。そして、印刷媒体（１）を光源に対してすかしたときに、第２の要素（１５）を介して、第１の隠ぺい領域（１１）よりも隠ぺい面積率の低い第２の隠ぺい領域（１２）を更に介して基材（７）を確認することができることで、第２の要素（１５）が形成され、この第２の要素（１５）が複数配置されたことにより形成された第一の潜像画像（４）を視認することが可能となる。
【０１０８】
なお、第１の実施形態における三つ目の態様では、隠ぺい層（８）及び画像形成層（９）のそれぞれの層にくり抜き領域を形成しないことを特徴としているが、隠ぺい層（８）又は画像形成層（９）のどちらか一方において、くり抜き領域を形成しても良い。
【０１０９】
（第２の実施形態の一つ目の態様）
次に、本発明の別の形態について説明する。第１の層である基材（７）については、第１の実施形態と同様であるため省略することとするが、第２の実施形態の一つ目の態様においては、透過光下における第一の潜像画像の視認効果に加えて、赤外線光源下における第二の潜像画像の視認効果を奏するものである。したがって、第１の層である基材（７）は、赤外線吸収色素を含む透過性材料で形成することが好ましく、具体的な説明については後述する。
【０１１０】
また、図１８（ａ）は、第２の層である隠ぺい層（８）の一部を拡大した模式図であるが、隠ぺい層（８）は、第１の実施形態の一つ目の態様と同様に第３の層である画像形成層（９）に対応するように、隠ぺい材料により形成した第１の隠ぺい領域（１１）を有する。また、隠ぺい材料を形成しないくり抜き領域（１０）を有し、くり抜き領域（１０）は、隠ぺい材料が形成されていないため、基材（７）が露出した状態となっている。
【０１１１】
図１９は、第２の実施形態の一つ目の態様の透過潜像領域を示す平面図及び模式図の一例である。図１９（ａ）に示すように、本発明の印刷媒体（１）は、第１の実施形態と同様に、プラスチックカード等の透過性材料からなる基材（７）上の少なくとも一部の透過潜像領域（２）に、可視画像（３）が印刷により形成されている。
【０１１２】
図１９（ａ）に示した透過潜像領域（２）には、可視画像（３）、潜像画像である第一の潜像画像（４）及び第二の潜像画像（５）が埋め込まれている。可視画像（３）に各画像を埋め込むことで、可視光源下において、可視画像（３）が視認されるが、異なる所定の視認条件下においては、その所定の視認条件ごとに異なる模様を視認することが可能となる。図１９（ａ）に示した本発明の透過潜像領域（２）は、図１９（ｂ）に示す構成により、可視光源下における通常の視認条件（第一の視認条件）と、可視光源下において光源に対して基材（７）を透かすという視認条件（第二の視認条件）と、赤外線光源下において観察するという視認条件（第三の視認条件）により、それぞれ異なる模様を視認することができる。
【０１１３】
図１９（ａ）に示した透過潜像領域（２）は、可視光源下における反射光（拡散光）下で観察した際には、図１９（ｃ１）に示すように、可視画像（３）を視認することが可能である。また、図１９（ａ）に示した透過潜像領域（２）を可視光源下における透過光下で観察した際には、図１９（ｃ３）に示すように、第一の潜像画像（４）として、文字や顔画像等から構成された画像を視認することが可能である。さらに、赤外線カメラ等の鑑定装置を用いて観察した際には、図１９（ｃ２）に示すように、第二の潜像画像（５）として、文字や顔画像等から構成された画像を視認することが可能となる。このように、図１９（ａ）に示した可視画像（３）は、三つの異なる模様を有している。なお、この視認原理については、後述する。
【０１１４】
図１９（ｂ）は、第二の実施形態の一つ目の態様を示す模式図である。図１９（ｂ）に示すように、可視画像（３）は、基材（７）上に形成した隠ぺい層（８）の上に、第１の要素（１４）、第２の要素（１５）及び第３の要素（１６）により形成されている。
【０１１５】
第１の要素（１４）は、第一の方向（Ｘ）に第１のピッチ（ｄ１）で複数配置されている。第１の要素（１４）内には、第３の要素（１６）が重畳して配置されている。さらに、第３の要素（１６）内には、第２の要素（１５）が重畳して配置されている。したがって、第１の要素（１４）、第２の要素（１５）及び第３の要素（１６）は、すべて等しい第１のピッチ（ｄ１）により配置されていることとなる。可視画像（３）は、それぞれの要素を、所定の範囲内で要素幅又は面積率を変化させることで形成されている。なお、可視画像（３）における第１の要素（１４）、第２の要素（１５）及び第３の要素（１６）の配置個所は、これに限定されるものではなく、この形態の態様については後述する。
【０１１６】
それぞれの要素については、第１の実施形態において、図６を用いて説明したように、画線又は点や画素を線状に複数配列したものにより形成することができる。それぞれの詳細については、第１の実施形態と同様であるため、ここでの説明は省略する。なお、以降の説明においては、各要素が画線（直線）により形成されていることとする。
【０１１７】
図１９（ｃ１）は、可視画像（３）及び第１の要素（１４）の一例を示す図である。第１の要素（１４）は、複数配置されることで、可視光源下における反射光（拡散光）下において視認可能な可視画像（３）を形成する。可視画像（３）は、第１の要素（１４）を、第一の方向（Ｘ）に第１のピッチ（ｄ１）で複数配置することで形成されている。可視画像（３）は、第１の要素（１４）において、画線幅を所定の範囲内で最大画線幅（Ｗ１）と最小画線幅（Ｗ２）として一部異ならせることにより、第１の模様部（１４ａ）と第１の背景部（１４ｂ）に区分けされる。第１の模様部（１４ａ）は、図１９（ｃ１）において「Ａ」という文字を形成する領域であり、第１の背景部（１４ｂ）は、「Ａ」という文字を形成する領域以外の背景を形成する領域である。
【０１１８】
第１の要素（１４）は、赤外線吸収色素を含まない色材によって形成する。第１の要素（１４）は、赤外線吸収色素を含まない色材によって形成することで、赤外線カメラ等の特殊な鑑定装置を用いて観察した場合においては、可視画像（３）を視認することができなくなる。
【０１１９】
なお、赤外線吸収色素を含まない色材には、赤外線吸収特性を有さなければ特に限定されず、公知のグラビアインキ、スクリーンインキ及びプロセスインキ等を使用することができる。例えば、基本４色インキのうち、シアン（Ｃ）、マゼンタ（Ｍ）及びイエロー（Ｙ）は、赤外線を吸収しない性質を持っており、これら３色を重ね合わせたもので黒色系を表現すれば、赤外線を吸収しない黒色の色材と同様の効果が得られる。また、赤外線透過特性を有するクロモファインブラックインキ（大日精化工業株式会社製）やインクジェットプリンタ用の染料系インク（例えば、Ｃａｎｏｎ製  染料系ブラックインク等）を使用することもできる。
【０１２０】
第２の実施形態においては、第１の要素（１４）内に第３の要素（１６）が構成され、更に第３の要素（１６）内に第２の要素（１５）が構成されている。第１の要素（１４）、第２の要素（１５）及び第３の要素（１６）は、可視光源下における反射光（拡散光）下において等色に視認されることで、第１の要素（１４）のみ視認可能となる。それにより、可視光源下における反射光（拡散光）下において、肉眼では、第１の要素（１４）から成る可視画像（３）のみが視認可能となる。
【０１２１】
本発明においては、第１の要素（１４）、第２の要素（１５）及び第３の要素（１６）は、肉眼でそれぞれの領域を区別して視認することができない画線幅により構成している。そのことから、前述の通り色差ΔＥが６未満であれば、可視光源下の拡散光反射領域において、肉眼で第３の要素（１６）を視認することができず、かつ、第１の要素（１４）、第２の要素（１５）及び第３の要素（１６）は、等色として視認される。
【０１２２】
図１９（ｃ２）は、第二の潜像画像（５）を形成する第３の要素（１６）の一例を示す図である。第３の要素（１６）は、図１９（ｃ２）に示した、赤外線光源下において視認可能な第二の潜像画像（５）を形成する領域である。第３の要素（１６）は、第１の要素（１４）内に重畳して配置されている。第二の潜像画像（５）は、第３の要素（１６）を、第一の方向（Ｘ）に第１の要素（１４）及び第２の要素（１５）と同じ第１のピッチ（ｄ１）で複数配置することで形成されている。第二の潜像画像（５）は、第３の要素（１６）において、画線幅を所定の範囲内で最大画線幅（Ｗ５）と最小画線幅（Ｗ６）として一部異ならせることで、第３の模様部（１６ａ）と第３の背景部（１６ｂ）に区分けされる。第３の模様部（１６ａ）は、図１９（ｃ２）において「Ｂ」という形状の第二の潜像模様（５ａ）を形成する領域であり、第３の背景部（１６ｂ）は、「Ｂ」という文字を形成する領域以外の背景を形成する領域である。
【０１２３】
図１９（ｂ）は、前述した第１の要素（１４）、第２の要素（１５）及び第３の要素（１６）を、印刷媒体（１）上で刷り重ねた状態を示したものである。第３の要素（１６）の最大画線幅（Ｗ５）は、第１の要素（１４）の最小画線幅（Ｗ２）以下となっている。それにより、第３の要素（１６）は、第１の要素（１４）内における第１の模様部（１４ａ）及び第１の背景部（１４ｂ）のいずれにおいても配置することが可能である。
【０１２４】
第３の要素（１６）は、反射光（拡散光）下において第１の要素（１４）及び第２の要素（１５）と等色であり、赤外線吸収色素を含む色材を用いて形成する。それにより、可視光源下の反射光（拡散光）下において、肉眼で第３の要素（１６）を視認することができず、かつ、第１の要素（１４）、第２の要素（１５）及び第３の要素（１６）は、等色として視認される。
【０１２５】
図１９（ｃ３）は、第一の潜像画像（４）を形成する第２の要素（１５）の一例を示す図である。第２の要素（１５）は、図１９（ｃ３）に示した、可視光源下において、基材（７）を光源に対してすかして観察することで視認可能な第一の潜像画像（４）を形成する領域である。第２の要素（１５）は、第３の要素（１６）内に重畳して配置されている。第一の潜像画像（４）は、第２の要素（１５）を、第一の方向（Ｘ）に第１の要素（１４）及び第３の要素（１６）と同じ第１のピッチ（ｄ１）で複数配置することで形成されている。第一の潜像画像（４）は、第２の要素（１５）において、画線幅を所定の範囲内で最大画線幅（Ｗ３）と最小画線幅（Ｗ４）に一部異ならせることで、第２の模様部（１５ａ）と第２の背景部（１５ｂ）に区分けされる。第２の模様部（１５ａ）は、図１９（ｃ３）における「Ｃ」という文字を形成する領域であり、第２の背景部（１５ｂ）は、「Ｃ」という文字を形成する領域以外の背景を形成する領域である。
【０１２６】
なお、第一の潜像画像（４）においては、第２の背景部（１５ｂ）を設けず、第２の模様部（１５ａ）のみで形成することも可能である。ただし、反射光（拡散光）下において、第２の要素（１５）及び第３の要素（１６）は、肉眼において等色として視認されるが、第２の背景部（１５ｂ）を設けない場合には、第一の潜像画像（４）が第２の模様部（１５ａ）のみで形成されるため、可視画像（３）内において、第一の潜像画像（４）と第二の潜像画像（５）の大きさに差が発生する場合があり、それにより、反射光（拡散光）下においても、肉眼で第２の要素（１５）及び第３の要素（１６）を識別することができる可能性がある。そのため、第２の模様部（１５ａ）の隠ぺい性をより高めるためには、第２の背景部（１５ｂ）を設けることが好ましい。
【０１２７】
図１９（ｂ）に示すように、第２の要素（１５）の最大画線幅（Ｗ３）は、第３の要素（１６）の最小画線幅（Ｗ６）以下となっている。それにより、第２の要素（１５）は、第３の要素（１６）内における第３の模様部（１６ａ）及び第３の背景部（１６ｂ）のいずれにおいても配置することが可能である。
【０１２８】
なお、第３の要素（１６）において、第２の要素（１５）は印刷を行わない、第３の要素（１６）において、第２の要素（１５）をくり抜いた状態とする。そうすることで、実際の印刷媒体（１）における第２の要素（１５）は、隠ぺい材料が印刷されていないくり抜き領域（１０）及び第２の要素（１５）を介して、基材（７）の透過性を確認することができることとなり、結果的には、第２の要素（１５）は、透過性材料により形成されていることとなる。
【０１２９】
その構成を図示したものが、図２０である。図２０（ａ）に示すように、透過性の基材（７）上に、隠ぺい材料による隠ぺい層（８）を形成し、その上に、色材（例えば、印刷インキ）により画像形成層（９）を形成する。ただし、透過性の基材（７）は、赤外線吸収色素を含む色材を用いることが好ましく、具体的な説明については後述する。第２の要素（１５）については、赤外線吸収色素を含む色材及び赤外線吸収色素を含まない色材のいずれも配置せず、色材（例えば、印刷インキ）が何もない状態となっている。この色材（例えば、印刷インキ）が何もない第２の要素（１５）と隠ぺい層（８）において隠ぺい材料を施さないくり抜き領域（１０）とが同じ位置となるように配置されている。
【０１３０】
図２０（ａ）において、Ｚ１−Ｚ２における断面図を示すのが図２０（ｂ）である。図２０（ａ）に示すように、画像形成層（９）において、第２の要素（１５）は、何も印刷されておらず、同時に、隠ぺい層（８）においても、一部が隠ぺい材料を施さないくり抜き領域（１０）となっている。隠ぺい材料を施さないくり抜き領域（１０）は、第２の要素（１５）と同じ大きさ及び同じ形状である。
【０１３１】
基材（７）に赤外線吸収色素を含む透過性材料を用いるのは、第二の潜像画像（５）の視認性に影響を与えないためである。赤外線吸収色素を含まない透過性材料を用いた場合には、印刷媒体を赤外線光源下において観察した際、基材（７）である透過性材料を一部露出させることにより形成した第２の要素（１５）は、濃度が低く（白っぽく）観察される。一方、赤外線吸収色素を含む色材を用いて形成した第３の要素（１６）は、濃度が高く（黒っぽく）観察される。そのため、赤外線光源下において第二の潜像画像（５）を観察した際に、第２の要素（１５）が第二の潜像画像（５）の視認性に影響を与えるからである。
【０１３２】
なお、隠ぺい材料を透過性の基材（７）の上に印刷するのは、可視画像（３）の視認性に影響を与えないために、透過性を隠ぺいする役割を担っているからである。
【０１３３】
また、赤外線吸収色素を含まない隠ぺい材料を用いるのは、第二の潜像画像（５）の視認性に影響を与えないためである。赤外線吸収色素を含む隠ぺい材料を用いた場合には、印刷媒体を赤外線光源下において観察した際、第１の要素（１４）、第２の要素（１５）及び第３の要素（１６）は、すべて濃度が高く（黒っぽく）観察される。そのため、第３の要素（１６）を、他の要素と識別することができず、その結果、赤外線光源下において観察可能な第二の潜像画像（５）を視認することができなくなる。
【０１３４】
さらに、隠ぺい材料により形成された隠ぺい層（８）は、赤外線領域での透過率が８０％より低いことが好ましい。赤外線領域での隠ぺい層（８）の透過率が８０％以上となった場合には、印刷媒体を赤外線光源下において観察した際、基材（７）を隠ぺいする隠ぺい層（８）が透過し、第１の要素（１４）が透過して基材（７）が観察される。そのため、基材（７）が赤外線吸収色素を含んでいる場合、濃度が高く（黒っぽく）観察される。したがって、第３の要素（１６）を他の要素と識別することができず、その結果、赤外線光源下において観察可能な第二の潜像画像（５）を視認することができなくなってしまうため、隠ぺい層（８）の赤外線領域での透過率を８０％以上としてしまうことは、好ましくない。
【０１３５】
図２１は、本発明に係る白インキ及びマゼンタインキの分光透過率の一例を示すグラフである。図２１（ａ）は、本発明における隠ぺい材料の分光透過率であり、測定サンプルとして白インキ（東洋インキ製造株式会社製  ＬＩＯＪＥＴ  ＦＶ０３  ホワイト）を用いて、インクジェット印刷により無色（透明）の赤外線吸収色素を含まないＰＥＴフィルムにベタ印刷を施したものを用いた。図２１（ｂ）は、本発明における隠ぺい材料の分光透過率であり、測定サンプルとして白インキ（東洋インキ製造株式会社製  ＬＩＯＪＥＴ  ＦＶ０３  ホワイト）を用いて、インクジェット印刷によりＰＥＴフィルムに、図２１（ａ）に示したサンプルに対し、印刷濃度を下げて印刷を施したものを用いた。
【０１３６】
図２１（ｃ）は、本発明における赤外線吸収色素を含まない色材の分光透過率であり、測定サンプルとしてマゼンタインキ（東洋インキ製造株式会社製  ＬＩＯＪＥＴ  ＦＶ０３  マゼンタ）を用いて、インクジェット印刷によりＰＥＴフィルムにベタ印刷を施したものを用いた。なお、図２１に示した分光透過率は、各測定サンプルの分光透過率から、基材である無色（透明）のＰＥＴフィルム単体の分光透過率を除算したものを示しており、分光透過率は、自記分光光度計（ＨＩＴＡＣＨＩ製、Ｕ−４０００形）を用いて測定した。
【０１３７】
７６０〜８００ｎｍの赤外線領域において、分光透過率の変化をそれぞれ比較すると、隠ぺい材料（ａ）における分光透過率は、いずれの領域においても５０％程度と略一定である。印刷濃度を下げて印刷した隠ぺい材料（ｂ）における分光透過率は、赤外線領域において８０％程度であることからベタ印刷した隠ぺい材料（ａ）と比べると高い値となっている。赤外線吸収色素を含まない赤外線透過色材（ｃ）は、赤外線領域においては、９５％程度であることからベタ印刷した白インキ（ａ）及び印刷濃度を下げて印刷した白インキ（ｂ）に比べて高い値となっている。なお、同一の波長においては、赤外線吸収色素を含まない色材の場合、分光透過率の低い方の濃度が高く（白っぽく）視認され、反対に、分光透過率の高い方の濃度が低く（透明っぽく）視認される。なお、赤外線カメラを用いて観察した際には、隠ぺい材料（ａ）は、白く観察され、印刷濃度を下げて印刷した隠ぺい材料（ｂ）は、淡い白として観察され、また、赤外線透過色材（ｃ）は、略透明に観察された。
【０１３８】
図２２は、本発明に係る基材（７）、隠ぺい層（８）を形成する隠ぺい材料、赤外線吸収色素を含まないインキ及び赤外線吸収色素を含むインキの分光反射率の一例を示すグラフである。図２２における（ａ）は、本発明における基材（７）の分光反射率であり、測定サンプルとして赤外線吸収色素を含まない０．２ｍｍの厚さを有する無色（透明）のＰＥＴフィルムを用いた。（ｂ）は、本発明における隠ぺい層（８）の分光反射率であり、測定サンプルとして、白インキ（東洋インキ製造株式会社製  ＬＩＯＪＥＴ  ＦＶ０３  ホワイト）を用いて、インクジェット印刷により前述のＰＥＴフィルムにベタ印刷を施したものを用いた。（ｃ）は、本発明における赤外線吸収色素を含まない色材の分光反射率であり、測定サンプルとして、マゼンタインキ（東洋インキ製造株式会社製  ＬＩＯＪＥＴ  ＦＶ０３  マゼンタ）を用いて、インクジェット印刷によりＰＥＴフィルムにベタ印刷を施したものを用いた。（ｄ）は、本発明における赤外線吸収色素を含む色材の分光反射率であり、測定サンプルとして、ブラックインキ（東洋インキ製造株式会社製  ＬＩＯＪＥＴ  ＦＶ０３  ブラック）を用いて、インクジェット印刷によりＰＥＴフィルムにベタ印刷を施したものを用いた。
【０１３９】
なお、図２２に示した分光反射率は、自記分光光度計（ＨＩＴＡＣＨＩ製  Ｕ−４０００形）を用いて測定した。
【０１４０】
４００〜７６０ｎｍの可視光領域と、７６０〜８００ｎｍの赤外線領域において、分光反射率の変化をそれぞれ比較すると、ＰＥＴフィルム（ａ）における分光反射率は、いずれの領域においても９５％前後と略一定である。白インキ（ｂ）における分光反射率は、可視光領域の短波長を除き、可視光領域及び赤外線領域、いずれの領域においてもＰＥＴフィルム（ａ）と略同じである。また、マゼンタインキ（ｃ）における分光反射率は、赤外線領域においては、９５％前後と略一定である。ブラックインキ（ｄ）における分光反射率は、赤外線領域においては、５％前後と略一定である。なお、同一の波長においては、分光反射率の高い方の濃度が低く（白っぽく）視認され、反対に分光反射率の低い方の濃度が高く（黒っぽく）視認される。なお、赤外線カメラを用いて観察した際には、ＰＥＴフィルム（ａ）及びマゼンタインキ（ｃ）は、白っぽく（略透明）視認され、白インキ（ｂ）は、白く視認され、ブラックインキ（ｄ）は、黒く観察された。
【０１４１】
赤外線カメラ等の特殊な鑑定装置を用いて赤外線領域で観察した場合においては、第３の要素（１６）は、濃度が高く（黒っぽく）視認される。同様に、基材（７）は、赤外線吸収色素を含む透過性材料であることから、第２の要素（１５）は、濃度が高く（黒っぽく）視認される。つまり、赤外線領域においては、第２の要素（１５）及び第３の要素（１６）を識別することができないので、結果として、第一の潜像画像（４）を視認することができないとともに、第二の潜像画像（５）は、一様な濃度を有する画線が画線群となり、形成された画像として視認される。
【０１４２】
赤外線吸収色素を含む色材には、カーボンブラックを主体としたブラック（Ｂｋ）がある。ただし、赤外線領域において光を吸収する色材（特に、インキ）であればこれに限定しない（例えば、赤外領域に吸収を持つ有機色素として、ポリメチレン系、フタロシアニン系、アゾ系及びアントラキノン系等の化合物が挙げられ、無機系の赤外線吸収剤として、アンチモンドープ酸化錫や錫ドープ酸化インジウムが挙げられる。）。第１の要素（１４）、第２の要素（１５）及び第３の要素（１６）は、印刷媒体（１）上に重畳又は毛抜き合わせにより形成することが可能であるが、本発明においては、重畳により形成することが好ましい。毛抜き合わせにより形成した際には、高い刷り合せ精度が要求される。刷り合わせ精度が低い際には、それぞれの要素の周囲に被印刷部が発生する。それにより、可視光源下における反射光（拡散光）下おいては、第１の要素（１４）、第２の要素（１５）及び第３の要素（１６）が等色とはならず、肉眼で第一の潜像画像（４）及び第二の潜像画像（５）が視認可能となるおそれがある。
【０１４３】
さらに、赤外線領域で観察した場合において、前述した被印刷部は赤外線を透過する。それにより、被印刷部は、濃度が低く視認されるため、赤外線領域において第２の要素（１５）及び第３の要素（１６）は、一様な濃度を有するベタ領域とはならず、第一の潜像画像（４）が観察可能となるおそれがある。
【０１４４】
（可視画像の視認原理）
図２３は、本発明に係る印刷媒体（１）の透過潜像領域（２）を、定位置の可視光源（Ｒ）下の反射光（拡散光）下において、肉眼で視認した場合の平面図及び模式図である。図２３（ａ１）に示した透過潜像領域（２）は、図２３（ａ２）に示すように、可視光源（Ｒ）下の反射光（拡散光）下において、第１の要素（１４）が肉眼で視認可能となる。つまり、可視画像（３）を視認することが可能となる。第１の要素（１４）、第２の要素（１５）及び第３の要素（１６）は、可視光源下の反射光（拡散光）下において等色で視認されることで、肉眼では、区別することが不可能となり、第２の要素（１５）で形成した第一の潜像画像（４）及び第３の要素（１６）で形成した第二の潜像画像（５）は、肉眼で視認することはできない。
【０１４５】
図２３（ｂ）は、印刷媒体（１）を、定位置の可視光源（Ｒ）下の反射光（拡散光）下において、肉眼で視認した場合の模式図である。図２３（ｂ）を用いて、可視光源（Ｒ）下の反射光（拡散光）下における可視画像（３）の視認原理を説明する。印刷媒体（１）を可視光源（Ｒ）下の反射光（拡散光）において肉眼で視認した際には、まず、第１の要素（１４）に対して、可視光源（Ｒ）からの入射光（Ｒ１）によって、正反射光と拡散光（Ｒ２）が生じ、反射光（拡散光）下では、拡散光（Ｒ２）が得られる。
【０１４６】
第２の要素（１５）に対しては、可視光源（Ｒ）からの入射光（Ｒ１）によって、正反射光と拡散光（Ｒ３）が生じ、反射光（拡散光）下では、拡散光（Ｒ３）が得られる。また、第３の要素（１６）においては、可視光源（Ｒ）からの入射光（Ｒ１）によって、正反射光と拡散光（Ｒ２）が生じ、反射光（拡散光）下では、拡散光（Ｒ２）が得られる。第１の要素（１４）、第２の要素（１５）及び第３の要素（１６）は、可視光源下の反射光（拡散光）下で観察した時に等色になるように形成されていることから、それぞれの領域における拡散光の差異は、肉眼で確認することができない。
【０１４７】
第２の実施形態においては、第１の要素（１４）内に第３の要素（１６）を重畳して配置し、更に第３の要素（１６）内に第２の要素（１５）を重畳して配置している。第１の要素（１４）における最大画線幅及び最小画線幅、第２の要素（１５）における最大画線幅及び最小画線幅、第３の要素（１６）における最大画線幅及び最小画線幅の大小関係は、第１の要素（１４）の最小画線幅≧第３の要素（１６）の最大画線幅及び第３の要素（１６）の最小画線幅≧第２の要素（１５）の最大画線幅となっている。
【０１４８】
可視光源下における反射光（拡散光）下においては、可視画像（３）、第一の潜像画像（４）及び第二の潜像画像（５）の拡散光の強さは、略一定である。よって、第１の要素（１４）内に第３の要素（１６）を重畳して配置し、第３の要素（１６）内に第２の要素（１５）を重畳して配置し、第１の要素（１４）を、第２の要素（１５）及び第３の要素（１６）よりも、画線幅を太くすることで、第一の潜像画像（４）及び第二の潜像画像（５）は、可視画像（３）内に隠ぺいされる。よって、可視光源下の反射光（拡散光）下において、印刷媒体（１）を観察した場合、第１の要素（１４）により構成されている可視画像（３）のみを視認することができ、第２の要素（１５）により構成されている第一の潜像画像（４）及び第３の要素（１６）により構成されている第二の潜像画像（５）を視認することはできない。
【０１４９】
（第一の潜像画像の視認原理）
図２４は、印刷媒体（１）の透過潜像領域（２）を、定位置の可視光源（Ｒ）下の透過光下において、肉眼で視認した場合の平面図及び模式図である。図２４（ａ１）に示した透過潜像領域（２）は、図２４（ｂ）に示した可視光源（Ｒ）下の透過光下において、第２の要素（１５）が肉眼で視認可能となる。つまり、第一の潜像画像（４）を視認することが可能となる。第２の要素（１５）は、可視光源下の透過光下において、色差ΔＥが変化して視認されることで、第１の要素（１４）及び第３の要素（１６）と、肉眼で区別することが可能となり、第２の要素（１５）で形成した第一の潜像画像（４）を、視認することができる。
【０１５０】
図２４（ｂ）を用いて、可視光源（Ｒ）下の透過光における第一の潜像画像（４）の視認原理について説明する。印刷媒体（１）を、可視光源（Ｒ）下の透過光において、肉眼で視認した際には、まず、第１の要素（１４）に対しては、可視光源（Ｒ）からの入射光（Ｒ１）によって、透過光（Ｒ４）が得られる。また、第一の潜像画像（４）を形成する第２の要素（１５）では、可視光源（Ｒ）からの入射光（Ｒ１）によって、透過光（Ｒ５）が得られる。第二の潜像画像（５）を形成する第３の要素（１６）では、可視光源（Ｒ）からの入射光（Ｒ１）によって、透過光（Ｒ４）が得られる。
【０１５１】
よって、第２の要素（１５）は、透過性材料で形成しており、第２の要素（１５）の透過光（Ｒ５）は、第１の要素（１４）及び第３の要素（１６）の透過光（Ｒ４）よりも高くなり、その明度の差異によって、第１の要素（１４）及び第３の要素（１６）に対して第２の要素（１５）に一定以上の色差ΔＥが生じ、潜像画像として第一の潜像画像（４）を視認することができる。よって、可視光源下の透過光下においては、印刷媒体（１）を観察した場合に、第一の潜像画像（４）を視認することができる。
【０１５２】
なお、可視光源下の透過光下において、可視光源（Ｒ）からの入射光（Ｒ１）の強度、基材（７）の透過度又はそれぞれの領域のインキの透過度の差によって、第１の要素（１４）及び第３の要素（１６）のそれぞれの透過光（Ｒ４）に差異が生じ、第１の要素（１４）と第３の要素（１６）の色差ΔＥが変化する場合もある。
【０１５３】
しかし、第２の要素（１５）に透過性材料を用いて形成していることから、第１の要素（１４）と第３の要素（１６）の色差ΔＥの変化量は、第２の要素（１５）と第３の要素（１６）との色差ΔＥの変化量に比べ少なくなる。よって、視覚マスキング効果により、第１の要素（１４）及び第３の要素（１６）を区別することが不可能となる。つまり、第二の潜像画像（５）を視認することはできない。したがって、可視光源（Ｒ）下の透過光下において透過潜像領域（２）を肉眼で視認した際には、第一の潜像画像（４）が視認可能となる。
【０１５４】
視覚マスキング効果とは、人間の視覚認識の特性によるもので、大小の二つの刺激が時間的空間的に接近して与えられると、大きな刺激のみが強く認識され、小さな刺激は認識されなくなったり、認識されにくくなったり、結果として小さい刺激が見えなくなるマスキング現象（大きな刺激のみが見える。）が生じることが知られており、これを視覚マスキング効果と呼ぶ。なお、第２の要素（１５）の要素幅の設定や第２の要素（１５）を形成する透過性の材料の選定によっては、第１の要素（１４）と第３の要素（１６）の色差ΔＥの変化量が、第２の要素（１５）と第３の要素（１６）との色差ΔＥの変化量に近似し、視覚マスキング効果が弱まり、第一の潜像画像（４）の視認性が低下する場合がある。
【０１５５】
よって、第２の要素（１５）と第３の要素（１６）との色差ΔＥの変化量が第１の要素（１４）と第３の要素（１６）との色差ΔＥの変化量よりも大きくなるように、第２の要素（１５）の要素幅を設定したり、第２の要素（１５）を形成する透過性材料を適切に選定することが好ましい。
【０１５６】
（第二の潜像模様の視認原理）
図２５は、本発明に係る印刷媒体（１）の透過潜像領域（２）を、赤外線光源（Ｋ）下において、赤外線表示装置等を介して観察した場合の平面図及び模式図である。図２５を用いて、赤外線光源（Ｋ）下において、第二の潜像画像（５）が観察可能となる原理について説明する。赤外線光源（Ｋ）下において赤外線表示装置で印刷媒体（１）の透過潜像領域（２）を観察した場合、図２５（ａ２）に示すように、第１の要素（１４）は赤外線吸収色素を含まない色材を用いて構成されているので白く観察される。
【０１５７】
第３の要素（１６）は、前述のとおり、赤外線吸収色素を含む色材を用いて構成されているので、赤外線領域において分光反射率が低いことから、濃度が高く黒っぽく観察される。また、本第２の実施形態の一つ目の態様では、第２の要素（１５）は、隠ぺい材料を施さないくり抜き領域（１０）を介して、基材（７）である透過性材料を一部露出させることにより形成されており、基材（７）が赤外線吸収色素を含む透過性材料であることから、反射光（拡散光）下において第３の要素（１６）と等色に設定することで、赤外線領域において観察した際に、第２の要素（１５）と第３の要素（１６）は、略同じ濃度で観察される。よって、赤外線領域において第二の潜像画像（５）を観察することができる。
【０１５８】
（第２の実施形態の二つ目の態様）
次に、本発明の別の形態について説明する。第２の実施形態の一つ目の態様では、第１の層である基材（７）について、基材（７）に赤外線吸収色素を含む透過性材料を用いたが、第２の実施形態の二つ目の態様では、基材（７）に赤外線吸収色素を含む透過性材料及び赤外線吸収色素を含まない透過性材料のいずれも用いることができる。それぞれの場合の具体的な説明は後述する。なお、第２の層である隠ぺい層（８）及び第３の層である画像形成層（９）の一部については、第２の実施の形態の一つ目の態様と重複するところは省略することとする。
【０１５９】
第２の実施形態の二つ目の態様では、第２の実施形態の一つ目の態様と異なるところとして、隠ぺい層（８）及び画像形成層（９）において、それぞれの層にくり抜き領域を形成せず、隠ぺい面積率及び透過率の差異により潜像画像を形成するところである。
【０１６０】
まず、隠ぺい層（８）における層構成について、図２６を用いて説明する。隠ぺい層（８）は、第２の実施形態の一つ目の態様と同様に、基材（７）の透過性を隠ぺいする役割を担っているため、白インキを用いて形成する。ただし、第２の実施形態の一つ目の態様におけるくり抜き領域（１０）に該当する箇所にも白インキを印刷することとするが、周辺の隠ぺい面積率よりも低い隠ぺい面積率によって形成することとし、第１の実施形態の二つ目の態様と同様に、この領域を第２の隠ぺい領域（１２）と定義する。
【０１６１】
したがって、隠ぺい層（８）を構成している第１の隠ぺい領域（１１）の第１の隠ぺい面積率及び第２の隠ぺい領域（１２）の第２の隠ぺい面積率の関係は、第１の隠ぺい面積率＞第２の隠ぺい面積率となる。ただし、第２の隠ぺい領域（１２）は、透過光において下層の基材（７）の透過性を伴わせる必要があるため、第２の隠ぺい面積率については、０％以上１００％未満の範囲とする必要がある。
【０１６２】
また、第１の隠ぺい領域（１１）は、透過光において下層の基材（７）の透過性を抑える必要があるため、第１の隠ぺい面積率については、０％よりも大きく、１００％以下の範囲とする必要がある。なお、前述のとおり、第２の隠ぺい領域（１２）は、白インキを印刷することで、第２の実施形態の一つ目の態様におけるくり抜き領域（１０）と区分けして定義しているが、第２の隠ぺい領域（１２）の第２の隠ぺい面積率を０％としても良い。例えば、第２の実施形態の一つ目の態様と同様、第１の隠ぺい領域（１１）の第１の隠ぺい面積率を１００％、第２の隠ぺい領域（１２）の第２の隠ぺい面積率を０％としても良い。
【０１６３】
第２の隠ぺい領域（１２）を、第１の隠ぺい領域（１１）よりも隠ぺい面積率を低くすることにより、前述のとおり、透過光において基材（７）における透過性の違いを視認することができることとなるため、第２の隠ぺい領域（１２）を複数配置することで、第一の潜像画像（４）を形成することとなる。なお、第１の隠ぺい面積率及び第２の隠ぺい面積率を０％又は０％に近似した設定、すなわち、隠ぺい層（８）を略除いた設定とした場合でも、印刷物として第２の隠ぺい領域（１２）の透過性が第１の要素（１４）よりも高ければ、透過光下における第一の潜像画像（４）は視認可能である。しかし、第１の隠ぺい面積率と第２の隠ぺい面積率が近似すると、透過光における第一の潜像画像（４）の視認性が低下するおそれもあるので、第１の隠ぺい面積率及び第２の隠ぺい面積率を適宜設定する必要がある。
【０１６４】
次に第２の実施形態の二つ目の態様における画像形成層（９）について説明する。この画像形成層（９）については、第２の実施形態の一つ目の態様と同様、可視光源下における反射光（拡散光）下において視認可能な可視画像（３）を形成するものであり、可視画像を形成するための基本的な要素構成は、第２の実施形態の一つ目の態様と同じである。
【０１６５】
第２の実施形態の一つ目の態様では、第一の潜像画像（４）を形成するために、第１の要素（１４）内において、隠ぺい層（８）内に形成したくり抜き領域（１０）と同じ位置に、第２の要素（１５）をくり抜いた状態で形成するものであったが、二つ目の態様においては、一つ目の態様における第２の要素（１５）に該当する箇所にくり抜きを行なわず、透過率の高いインキ層で形成し、最下層である基材（７）の透過性を伴わせることとする。
【０１６６】
画像形成層（９）における第２の要素（１５）については、二通りの形成方法があり、まず、一つ目について、本第２の実施形態の二つ目の態様として、図２７を用いて説明し、二つ目は、後述する第２の実施形態の三つ目の態様として説明する。
【０１６７】
図２７に示すように、画像形成層（９）は、可視画像（３）を形成するための第１の要素（１４）と、第一の潜像画像（４）を形成するための第２の要素（１５）と、第二の潜像画像（５）を形成するための第３の要素（１６）を備えているところは第２の実施形態の一つ目の態様と同様である。ただし、前述のとおり、第３の要素（１６）内において、第一の潜像画像（４）を形成するための第２の要素（１５）は、第３の要素（１６）との区別をすることができない。
【０１６８】
図２７（ａ）では、下層の第１の隠ぺい領域（１１）及び第２の隠ぺい領域（１３）との位置関係を示すため、第１の要素（１４）内において画線により図示しているが、図２７（ｂ）に断面図として示したように、実際には、第３の要素（１６）内に、第２の要素（１５）に該当するような領域は存在しない。ただし、この画線により図示している領域は、第２の実施形態の二つ目の態様においては、第一の潜像画像（４）を形成するための領域となるため、第２の実施形態の一つ目の態様と同様に、第２の要素（１５）と定義する。
【０１６９】
第２の要素（１５）は、第２の実施形態の一つ目の態様における第３の要素（１６）により構成しているものである。ただし、下層である隠ぺい層（８）における第２の隠ぺい領域（１２）を介して、透過光において最下層の基材（７）の透過性を視認することができる程度の透過率とする必要がある。よって、第２の要素（１５）の透過率は３％以上１００％以下の範囲とする必要がある。
【０１７０】
また、この第２の要素（１５）は、反射光（拡散光）下において第一の潜像画像（４）を視認することができない状態とするために、第２の要素（１５）を形成することにより、反射光（拡散光）下において、隠ぺい層（８）における第２の隠ぺい領域（１２）を介して視認可能な基材（７）と隠ぺい層（８）における第１の隠ぺい領域（１１）の色彩が等色となるようにする必要がある。いわゆる、反射光（拡散光）下において、第３の要素（１６）と第２の要素（１５）との色彩が等色となるように形成する。
【０１７１】
また、最下層の基材（７）が赤外線吸収色素を含まない透過性材料の場合、第２の要素（１５）は、赤外線吸収色素を含む色材で形成する必要があり、最下層の基材（７）が赤外線吸収色素を含む透過性材料の場合、第２の要素（１５）は特に限定されない。これは、第二の潜像画像（５）の視認性に影響を与えないためである。つまり、赤外線光源下で第２の要素（１５）、すなわち、第２の要素（１５）を介して最下層の基材（７）を観察した際に、赤外線吸収色素を含む色材で形成された第３の要素（１６）と同じ濃度で観察されるようにするためである。
【０１７２】
第２の実施形態の二つ目の態様おける層構成を図示したものが図２８である。図２８（ａ）に示すように、基材（７）の上に形成する隠ぺい層（８）の第１の隠ぺい領域（１１）と、更にその上に形成する画像形成層（９）の第１の要素（１４）及び第３の要素（１６）は、同じ位置に配置され、第１の要素（１４）内に第３の要素（１６）が配置され、画像形成層（９）の第２の要素（１５）は、第３の要素（１６）内に配置され、同様に、第２の隠ぺい領域（１２）と、第２の要素（１５）は同じ位置に配置される。なお、図２８（ｂ）に示すように、第一の潜像画像（４）を形成する領域となる隠ぺい層（８）に形成される第２の隠ぺい領域（１２）の上には、第２の要素（１５）と第３の要素（１６）が反射光（拡散光）下において等色となるように形成した透過率３％以上１００％以下の範囲の第２の要素（１５）が配置されていることとなる。
【０１７３】
図２８に示した層構成とすることで、第２の実施形態の一つ目の態様と同様、可視光源下における反射光（拡散光）下では、画像形成層（９）の第１の要素（１４）によって形成された可視画像（３）が視認される。そして、印刷媒体（１）を光源に対してすかしたときに、画像形成層（９）を介して、第１の隠ぺい領域（１１）よりも隠ぺい面積率の低い第２の隠ぺい領域（１２）を更に介して基材（７）を確認することができる。したがって、第２の隠ぺい領域（１２）を介して基材（７）を確認することができる画像形成層（９）内の領域が、結果的に第２の要素（１５）となり、この第２の要素（１５）が複数配置されたことにより形成された第一の潜像画像（４）を視認することが可能となる。
【０１７４】
（第２の実施形態の三つ目の態様）
次に、第２の実施形態の三つ目の態様として、前述した画像形成層（９）における一つ目の形成方法とは別に、第２の要素（１５）の二つ目の形成方法について、図２９を用いて説明する。第１の要素（１４）については、前述した第２の実施形態の二つ目の態様の画像形成層（９）と同様であるが、第２の要素（１５）においては、下層の隠ぺい層（８）に形成する第２の隠ぺい領域（１２）と同じ位置に該当する箇所に形成する。したがって、第２の要素（１５）及び第３の要素（１６）は、２色により形成されていることとなる。なお、第２の要素（１５）は、透過率３％以上１００％以下の範囲で形成する。この範囲よりも低いと、最下層の基材（７）の透過性を確認することができなくなってしまう。
【０１７５】
前述のとおり、隠ぺい層（８）に形成した第２の隠ぺい領域（１２）は、基材（７）の透過性を確認することができる程度に隠ぺい面積率を低く形成してあるため、第２の要素（１５）の透過率を高く形成することで、下層である第２の隠ぺい領域（１２）を介して、最下層の基材（７）の透過性を透過光において確認可能となる。ただし、反射光（拡散光）下においては、第一の潜像画像（４）を視認不可能とするため、第２の要素（１５）と第３の要素（１６）は、等色となるように形成する。
【０１７６】
また、最下層の基材（７）が赤外線吸収色素を含まない透過性材料の場合、第２の要素（１５）は、赤外線吸収色素を含む色材で形成する必要があり、最下層の基材（７）が赤外線吸収色素を含む透過性材料の場合、第２の要素（１５）は、特に限定されない。
【０１７７】
第２の実施形態における三つ目の態様の層構成を図示したものが、図３０である。図３０（ａ）及び（ｂ）に示すように、基材（７）の上に形成する隠ぺい層（８）の第１の隠ぺい領域（１１）と、更にその上に形成する画像形成層（９）の第１の要素（１４）及び第３の要素（１６）は、同じ位置に配置され、第１の要素（１４）内に第３の要素（１６）が配置され、更に第３の要素（１６）内に第２の要素（１５）が配置され、第２の隠ぺい領域（１２）と、第２の要素（１５）は、同じ位置に配置される。なお、図３０（ｂ）に示すように、第一の潜像画像（４）を形成する領域となる隠ぺい層（８）に形成される第２の隠ぺい領域（１２）の上には、透過率３％以上１００％以下の範囲の第２の要素（１５）が配置され、第２の要素（１５）と第３の要素（１６）が反射光（拡散光）下において等色として視認されるように、２色により形成されている。
【０１７８】
図３０に示した層構成とすることで、第２の実施形態における一つ目の態様及び二つ目の態様と同様に、可視光源下における反射光（拡散光）下では、画像形成層（９）の第１の要素（１４）によって形成された可視画像（３）が視認される。そして、印刷媒体（１）を光源に対してすかしたときに、第２の要素（１５）を介し、第１の隠ぺい領域（１１）よりも隠ぺい面積率の低い第２の隠ぺい領域（１２）を更に介して基材（７）を確認することができる。したがって、この第２の要素（１５）が複数配置されたことにより、形成された第一の潜像画像（４）を視認することが可能となる。
【０１７９】
なお、第２の実施形態における三つ目の態様では、隠ぺい層（８）及び画像形成層（９）のそれぞれの層にくり抜き領域を形成しないことを特徴としているが、画像形成層（９）における第２の要素（１５）のどちらか一方をくり抜き領域として形成しても良い。
【０１８０】
（変形例）
図３１は、本発明に係る要素構成の変形例を示す模式図である。これまで各要素は、画線で構成されているものとして説明したが、各要素は、前述したように、画線に限るものではなく、図３１（ａ）に示すように、第３の要素（１６）を画線とし、第２の要素（１５）を、複数の点が同一方向（Ｔ）に配置された微小要素群としても良い。図３１（ａ）においては、模式的に拡大して図示しているが、実際には、微小要素群は、微小な点の集合体により形成されているために、一つの画線として視認される。したがって、微小要素群とすることで、プリンタ、複写機等を用いて複写した際には、微小要素群は一つの画線として複写される。それにより、画線のみを組み合わせた要素構成よりも偽造防止効果が向上する。
【０１８１】
また、図３１（ｂ）に示すように、第２の要素（１５）及び第３の要素（１６）をともに、複数の点が同一方向（Ｔ）に配置された微小要素群としても良い。さらには、図３１（ｃ）に示すように、第２の要素（１５）を、複数の網点が同一方向（Ｔ）に配置された微小要素群とし、第３の要素（１６）を、複数の画素が同一方向（Ｔ）に配置された微小要素群としても良い。画線又は微小要素群の組み合わせとすることで、より複製は困難となり、偽造防止効果が向上する。ただし、前述した第２の要素（１５）及び第３の要素（１６）が画線により形成された場合と同様に、第２の要素（１５）は、第３の要素（１６）内に配置されなければならない。
【０１８２】
なお、第２の要素（１５）及び／又は第３の要素（１６）を、微小要素群によって構成した際には、同一方向に複数の点及び／又は画素を配置する必要がある。異なる方向に配置すると、可視画像（３）、第一の潜像画像（４）及び第二の潜像画像（５）において周期的な無地部分が発生し、好ましくない。
【０１８３】
第一の潜像画像（４）及び第二の潜像画像（５）は、第２の要素（１５）及び／又は第３の要素（１６）の位相又はピッチのズレにより形成しても良い。図３１（ｄ）に示すように、第一の潜像画像（４）を形成する第２の要素（１５）は、第２の模様部（１５ａ）及び第２の背景部（１５ｂ）から成る。第２の要素（１５）が第１のピッチ（ｄ１）で配置されているなかで、第２の模様部（１５ａ）と第２の背景部（１５ｂ）は、それぞれ第２のピッチ（ｄ２）で配置している。第２のピッチ（ｄ２）は、第二の潜像画像（５）を形成する第３の要素（１６）の第１のピッチ（ｄ１）の２倍となっている。第２の模様部（１５ａ）の第２の要素（１５）と、第２の背景部（１５ｂ）の第２の要素（１５）は、第３の要素（１６）に対して、一つ置きに交互に配置されている。
【０１８４】
また、第２の模様部（１５ａ）と第２の背景部（１５ｂ）は、第１の要素（１４）及び第３の要素（１６）の画線に対して垂直方向に位相をずらして構成している。これにより、第一の潜像画像（４）は、レリーフ的な模様となる。さらに、図３１（ｅ）に示すように、レリーフ的な模様を形成する際にも、第二の要素及び第三の要素は、画線構成に限らず点や画素から成る微小要素群により構成しても良い。
【０１８５】
（第３の実施形態）
図３２は、本発明に係る第３の実施形態を示す平面図及び模式図である。なお、画像形成層（９）の要素構成は、第１の実施形態及び第２の実施形態と同様に画線で形成されているものとして説明する。図３２（ａ）及び（ｂ）に示すように、可視画像（３）は、画像形成層（９）として、第１の要素（１４）、第２の要素（１５）及び第３の要素（１６）により形成されている。第１の要素（１４）は、第一の方向（Ｘ）に第１のピッチ（ｄ１）で複数配置されている。第３の要素（１６）は、第１の要素（１４）が配列されている第一の方向（Ｘ）とは異なる方向である第二の方向（Ｙ）に第１のピッチ（ｄ１）で複数配置されている。なお、第１の要素（１４）と第３の要素は、少なくとも一部が重畳して配置されているため、図３２（ａ）に示すように、格子模様のように形成されている。さらに、第３の要素（１６）内には、第２の要素（１５）が重畳して配置されている。
【０１８６】
図３２（ｃ１）は、第１の要素（１４）の一例を示す図である。第１の要素（１４）は、複数配置されることで、後述する第二の潜像画像（５）を可視光源下における反射光（拡散光）下において視認困難とさせるためのカムフラージュ的な役割を担っており、第１の要素（１４）を、第一の方向（Ｘ）に第１のピッチ（ｄ１）で複数配置することで形成されている。複数配置された第１の要素（１４）は、第１の要素（１４）において所定の範囲内で画線幅を、最大画線幅（Ｗ１）と最小画線幅（Ｗ２）に一部異ならせることにより、第１の模様部（１４ａ）と第１の背景部（１４ｂ）に区分けされる。第１の模様部（１４ａ）は、図３２（ｃ１）において、文字「Ａ」という形状の模様を形成する領域であり、第１の背景部（１４ｂ）は、文字「Ａ」の背景を形成する領域である。
【０１８７】
前述した第２の実施形態においては、可視光源下における反射光（拡散光）下において可視画像（３）内に形成された文字「Ａ」という形状の模様が視認可能であったが、第３の実施形態においては、視認することができない。なお、その視認原理については、後述する。
【０１８８】
第１の要素（１４）は、反射光（拡散光）下において第２の要素（１５）及び第３の要素（１６）と等色であり、赤外線吸収色素を含まない色材（例えば、印刷インキ）を用いて形成する。第１の要素（１４）は、赤外線吸収特性を含まない色材によって形成することで、赤外線カメラ等の特殊な鑑定装置を用いて観察した場合においては、可視画像（３）を視認することができなくなる。
【０１８９】
図３２（ｃ２）は、第二の潜像画像（５）及び第３の要素（１６）の一例を示す図である。第３の要素（１６）は、複数配置されることで、赤外線光源下において視認可能な第二の潜像画像（５）を形成する。また、第二の潜像画像（５）は、前述した複数配置された第１の要素（１４）と配列角度を異ならせて重畳することで可視光源下の反射光（拡散光）下において、視認可能な格子状の可視画像（３）を形成する。なお、可視画像（３）の視認原理については後述する。
【０１９０】
第３の要素（１６）は、少なくとも一部が第１の要素（１４）上に、重畳して配置されている。第二の潜像画像（５）は、第３の要素（１６）を、第二の方向（Ｙ）に、第１のピッチ（ｄ１）と同じピッチで複数配置することで形成されている。第二の方向（Ｙ）とは、第一の方向（Ｘ）と異なる方向であり、第１の要素（１４）と並行する方向は除いた方向のことである。なお、第一の方向（Ｘ）と第二の方向（Ｙ）は、第二の潜像画像（５）を可視光源下において視認困難とさせるため、垂直方向に異なっていることが好ましい。第二の潜像画像（５）は、第３の要素（１６）において所定の範囲内で画線幅を、最大画線幅（Ｗ１）と最小画線幅（Ｗ２）に変化させることで、第３の模様部（１６ａ）と第３の背景部（１６ｂ）に区分けされる。第３の模様部（１６ａ）は、図３２（ｃ２）に示すような文字「Ａ」という形状の模様を形成する領域であり、第３の背景部（１６ｂ）は、第二の潜像画像（５）における文字「Ａ」の背景を形成する領域である。
【０１９１】
第１の要素（１４）で形成した第１の模様部（１４ａ）及び第１の背景部（１４ｂ）は、第３の要素（１６）で形成した第３の模様部（１６ａ）及び第３の背景部（１６ｂ）と画線幅の構成が相反するものとなる。例えば、第１の要素（１４）において、第１の模様部（１４ａ）の画線幅（Ｗ１）とし、第１の背景部（１４ｂ）の画線幅を（Ｗ２）とした際には、第３の模様部（１６ａ）における画線幅（Ｗ２）を、第１の背景部（１４ｂ）と同じ画線幅とし、反対に第３の背景部（１６ｂ）における画線幅（Ｗ１）は、第１の模様部（１４ａ）と同じ画線幅とする。つまり、第１の要素（１４）で形成された模様（実際には、視認することができない。）と第二の潜像画像（５）は、ネガポジの関係となるように構成されている。
【０１９２】
また、複数配置された第１の要素（１４）により形成された文字「Ａ」の模様と、第二の潜像画像（５）内に形成された文字「Ａ」という形状の模様は、形状及び大きさが等しく、かつ、同じ領域内にそれぞれ形成している。
【０１９３】
さらに、第３の要素（１６）は、反射光（拡散光）下において第１の要素（１４）及び第２の要素（１５）と等色で、赤外吸収色素を含む色材を用いて形成する。それにより、同じ領域内にそれぞれ形成することで、可視光源下の拡散光反射領域において、第１の模様部（１４ａ）と第３の模様部（１６ａ）による文字「Ａ」の濃度と、第１の背景部（１４ｂ）と第３の背景部（１６ｂ）による文字「Ａ」の背景の濃度が等しい可視画像（３）となり、肉眼では、第１の要素（１４）、第２の要素（１５）及び第３の要素（１６）は、等色として視認され、文字「Ａ」という形状の模様を視認することはできない。
【０１９４】
可視光源下の反射光（拡散光）下において、第１の要素（１４）、第２の要素（１５）及び第３の要素（１６）は、すべての要素が等色に視認される。さらに、前述のように、ネガポジ関係である複数配置された第１の要素（１４）及び第二の潜像画像（５）を形成する第３の要素（１６）を重畳して形成することで、潜像模様領域（２）内は、すべての領域において画線面積率が等しくなる。つまり、可視光源下の反射光（拡散光）下においては、文字「Ａ」という形状の模様を視認することができず、図３２（ａ）に図示するような、濃度が等しい格子状の可視画像（３）が視認される。
【０１９５】
図３２（ｃ３）は、第一の潜像画像（４）及び第２の要素（１５）の一例を示す図である。第２の要素（１５）は、複数配置されることで、可視光源下において基材（７）を光源に対してすかして観察することで視認可能な第一の潜像画像（４）を形成する。第２の要素（１５）は、第３の要素（１６）内に重畳して配置されている。第一の潜像画像（４）は、第２の要素（１５）を、第二の方向（Ｙ）に第１のピッチ（ｄ１）と同じピッチで複数配置することで形成されている。第一の潜像画像（４）は、第２の要素（１５）において所定の範囲内で画線幅を最大画線幅（Ｗ３）と最小画線幅（Ｗ４）に変化させることで、第２の模様部（１５ａ）と第２の背景部（１５ｂ）に区分けされる。第２の模様部（１５ａ）は、「Ｃ」という形状の第１の潜像画像（４）を形成する領域であり、第２の背景部（１５ｂ）は第１の潜像画像（４）の背景を形成する領域である。
【０１９６】
図３２（ｂ）は、前述した第１の要素（１４）、第２の要素（１５）及び第３の要素（１６）を、画像形成層（９）として刷り重ねた第３の実施形態の状態を示したものである。第２の要素（１５）の最大画線幅（Ｗ３）は、第３の要素（１６）における最小画線幅（Ｗ２）以下とする。それにより、第２の要素（１５）は、第３の要素（１６）内における第３の模様部（１６ａ）及び第３の背景部（１６ｂ）のいずれにおいても配置することが可能である。なお、第２の要素（１５）は、第１の実施形態及び第２の実施形態と同様に、観察角度を定位置の照明光源に対して反射光（拡散光）下から透過光下へ変化させることで、第２の要素（１５）及び第３の要素（１６）の色差ΔＥが所定の値変化する透過性材料を用いて形成する。
【０１９７】
第３の実施形態では、可視光源下の反射光（拡散光）下で観察した際に可視画像を視認することができ、印刷媒体を透過光下で観察することで第一の潜像画像が視認可能な印刷媒体を作製することができた。なお、第１の実施形態においては、基材（７）を形成する透過性材料のみを異ならせるか、又は第２の要素（１５）を形成する色材を異ならせることによっても、一つの印刷媒体において、観察条件の異なる二つの画像を形成することが可能となる。例えば、可視光源下の反射光（拡散光）下で観察した際には可視画像（３）を視認することができ、印刷物を透過光下で観察することで第一の潜像画像（４）を視認することができ、更に赤外線カメラ等の鑑定装置を用いて観察した際にも、第一の潜像画像が再度出現する。それについては、以下説明する。
【０１９８】
第１の実施形態の一つ目の態様、二つ目の態様又は三つ目の態様において、第１の要素（１４）は、赤外線吸収色素を含まないインキを用いて形成する。また、基材（７）は、赤外線吸収色素を含む透過性材料とするか、又は第２の要素（１５）は、赤外線吸収色素を含む色材（例えば、印刷インキ）によって形成する。これにより、第２の要素（１５）は、可視光源下における透過光下と、赤外線領域という二つの異なる観察条件において観察可能な第一の潜像画像（４）を形成することとなる。これは、第１の要素（１４）及び第２の要素（１５）が、可視光源下の反射光（拡散光）下において等色で視認されることで、肉眼で区別することが不可能となり、第２の要素（１５）で形成した第一の潜像画像（４）は、肉眼で視認することはできない。
【０１９９】
また、可視光源下の透過光下において、第２の要素（１５）は、肉眼で視認可能となる。つまり、第一の潜像画像（４）を視認することが可能となる。これは、第１の要素（１４）及び第２の要素（１５）が、可視光源下の透過光において色差ΔＥが変化して視認されることで、肉眼で区別することが可能となり、第２の要素（１５）で形成した第一の潜像画像（４）を、肉眼で視認することができる。さらに、可視光源下の透過光において、第１の要素（１４）及び第２の要素（１５）を併せた合成模様とすることも可能である。
【０２００】
さらに、赤外線光源下において、赤外線表示装置等を介して観察した場合、第２の要素（１５）を介し、更に第２の隠ぺい領域（１２）を介して赤外線吸収色素を含む透過性材料である基材（７）又は赤外線吸収色素を含むインキを用いて形成した第２の要素（１５）が観察可能となる。前述の通り、第２の要素（１５）は、第１の要素（１４）内に配置している。つまり、赤外線光源下においては、第一の潜像画像（４）が再度出現することとなる。
【０２０１】
本発明の可視画像（３）、第一の潜像画像（４）及び第二の潜像画像（５）は、文字、数字、記号、絵柄又は風景等、特に制限されるものではなく、適宜設計することが可能である。また、第１の要素（１４）における画線形状を、直線状の線群として説明したが、同じピッチで画線が複数配置されていれば、直万線、波万線、同心円万線又は波同心円万線等、何ら限定するものではない。さらに、第２の要素（１５）、第３の要素（１６）を微小要素群とした際に、点形状として円形ドットをそれぞれ用いたが、円形に限定されるものではなく、三角、四角及び多角形等の形状、ランダムな形状、又は本出願人が先に出願した特許第３４７８４７４号公報で提案している自由度のある網点形状を用いても良い。
【０２０２】
画像形成層（９）を構成している第１の要素（１４）、第２の要素（１５）及び第３の要素（１６）を形成する色材としては、公知のグラビアインキ、スクリーンインキ、プロセスインキ、インクジェットプリンタ用インク等の有色インキを使用することができる。また、それぞれの要素を形成する方法としては、オフセット印刷方式、グラビア印刷方式、スクリーン印刷方式、フレキソ印刷方式、インクジェットプリンタ、レーザプリンタ等、特に限定されるものではない。
【０２０３】
本発明に用いる基材（７）は、少なくとも一部が無色及び／又は有色の透過性材料からなるものであれば、特に限定されることがなく、上質紙、コート紙、アート紙等の紙葉類、フィルム等を用いることができ、透過性材料の透過率は、３％以上１００％以下の範囲である。
【０２０４】
また、透過性材料から成る基材（７）も、一つの層により形成されていることに限定されることなく、図３３に示すような層構成が可能である。例えば、図３３（ａ）は、無色（透明）の透過性材料（１８）から成る単層構造であり、図３３（ｂ）は、有色の透過性材料（１９ａ）から成る単層構造であり、図３３（ｃ）は、無色（透明）の透過性材料（１８）及び有色の透過性材料（１９ａ）から成る２層構造であり、図３３（ｄ）は、有色の透過性材料（１９ａ）及び有色の透過性材料（１９ｂ）から成る２層構造であり、図３３（ｅ）は、有色の透過性材料（１９ａ）、有色の透過性材料（１９ｂ）及び無色（透明）の透過性材料（１８）から成る３層構造で、無色（透明）の透過性材料（１８）が下層になったものであり、図３３（ｆ）は、図３３（ｅ）の３層構造において、無色（透明）の透過性材料（１８）が中間層に配置されたものであり、図３３（ｇ）は、中間層のみが有色の透過性材料（１９ａ）から成る３層構造であり、図３３（ｈ）は、有色の透過性材料（１９ａ）、有色の透過性材料（１９ｂ）及び無色（透明）の透過性材料（１８）から成る４層構造である。
【０２０５】
以下、実施例を用いて本発明を更に具体的に説明するが、本発明を限定するものではない。
【実施例１】
【０２０６】
実施例１として、図１に示すように、左下部に本発明における透過潜像領域（２）を形成したカード型の証明書（１）を作製した。この証明書（１）を可視光源下における反射光（拡散光）下で観察すると、透過潜像領域（２）は、図２（ａ）に示したゴシック体の「Ａ」として確認することができ、証明書（１）を光源に対してすかして透過光下で確認すると、透過潜像領域（２）は、図２（ｂ）に示したゴシック体の「Ｃ」として確認することができる。
【０２０７】
実施例１における証明書（１）の基材（７）は、０．２ｍｍの厚さを有する無色(透明)のＰＥＴフィルムを用いた。したがって、実施例１では、基材全面、すなわち、基材自体に透過性材料を用いたこととなる。
【０２０８】
次に、基材（７）上の透過潜像領域（２）以外を、白インキ（東洋インキ製造株式会社製  ＬＩＯＪＥＴ  ＦＶ０３  ホワイト）を用いてベタ刷りし、透過潜像領域（２）は、同じ白インキを用いて、基材（７）のＰＥＴフィルムの透過性を抑えるための第１の隠ぺい領域（１１）及び白インキを印刷しない領域（前述した実施の形態における「くり抜き領域（１０）」）を有するように、隠ぺい層（８）を形成した。
【０２０９】
なお、第１の隠ぺい領域（１１）は、隠ぺい面積率１００％（ベタ）で印刷した。また、白インキを印刷していないくり抜き領域（１０）は、この白インキの上に印刷する画像形成層（９）の第２の要素（１５）と対応した（同じ）位置となっている。
【０２１０】
次に、白インキにより形成した隠ぺい層（８）の上の全面に、プロセスインキ（東洋インキ製造株式会社製  ＬＩＯＪＥＴ  ＦＶ０３  シアン、マゼンタ、イエロー及びブラック）を用いて画像形成層（９）を形成した。この画像形成層（９）については、透過潜像領域（２）以外を網点による通常の印刷を行い、透過潜像領域（２）は、図５（ｂ）に示すような第１の実施形態における第１の要素構成により、図５（ａ）に示した模様を形成した。
【０２１１】
なお、画像形成層（９）の透過潜像領域（２）におけるそれぞれの要素は、ピッチ６００μｍで等間隔の配置を成す直万線状の画線とした。第１の要素（１４）は、最大画線幅（Ｗ１）を１８０μｍとし、最小画線幅（Ｗ２）を１１０μｍとした。第２の要素（１５）は、最大画線幅（Ｗ３）を１１０μｍとし、最小画線幅（Ｗ４）を３０μｍとした。
【０２１２】
また、画像形成層（９）は、図１６に示す第１の実施形態の三つ目の態様により形成した。第１の要素（１４）は、プロセスインキ（東洋インキ製造株式会社製  ＬＩＯＪＥＴ  ＦＶ０３  シアン、マゼンタ及びイエロー）を重ね合わせて黒色に印刷した。図２（ａ）に示したゴシック体の「Ａ」の階調に合わせ、第１の要素（１４）の画線幅を最大画線幅（Ｗ１）１８０μｍ、最小画線幅（Ｗ２）１１０μｍの範囲内で変化させ、可視画像（３）を形成した。
【０２１３】
次に第２の要素（１５）は、前述のとおり、隠ぺい層（８）の白インキを印刷していないくり抜き領域（１０）と同じ位置としてある。したがって、画像形成層（９）の第２の要素（１５）と隠ぺい層（８）のくり抜き領域（１０）が同じ位置となっていることから、その領域は、第２の要素（１５）を介して基材（７）のＰＥＴフィルムを確認することができる状態となっている。
【０２１４】
この第２の要素（１５）によって形成する第一の潜像画像（４）を、反射光（拡散光）下において視認させないために、第２の要素（１５）は、反射光（拡散光）下において第１の要素（１４）と等色となるようにプロセスインキ（東洋インキ製造株式会社製  ＬＩＯＪＥＴ  ＦＶ０３  ブラック）を用いて印刷した。図２（ｂ）に示したゴシック体の「Ｃ」の階調に合わせ、第２の要素（１５）の画線幅を最大画線幅（Ｗ３）１１０μｍ、最小画線幅（Ｗ４）３０μｍの範囲内で変化させ、第一の潜像画像（４）を形成した。反射光（拡散光）下における、第１の要素（１４）と第２の要素（１５）との色差ΔＥは１．２０であった。
【０２１５】
実施例１の証明書（１）における透過潜像領域（２）の構成と、その透過潜像領域（２）以外の領域の構成を模式的に示したのが図３４である。図３４（ａ）は、透過潜像領域（２）以外の領域の構成を示しており、透過性の基材（７）である無色(透明)のＰＥＴフィルムの上に白インキが印刷され、さらにその上に、プロセスインキにより可視画像（３）を形成するための網点が印刷されている。
【０２１６】
図３４（ｂ）は、透過潜像領域（２）の構成を示しており、Ｚ１−Ｚ２における断面図を示すのが図３４（ｃ）である。図３４（ｂ）に示すように、透過性の基材（７）である無色(透明)のＰＥＴフィルムの上に、隠ぺい層（８）として、第１の隠ぺい領域（１１）が白インキにより印刷され、一部が隠ぺい材料を施さないくり抜き領域（１０）となっている。第１の隠ぺい領域（１１）の上には、第１の要素（１４）を印刷し、くり抜き領域（１０）の上には、第２の要素（１５）を印刷し、特に、このくり抜き領域（１０）と第２の要素（１５）については、同じ位置となるように印刷してある。
【０２１７】
なお、隠ぺい層（８）におけるくり抜き領域（１０）上に形成した第２の要素（１５）について補足すると、図３４（ｃ）では、くり抜き領域（１０）の上に第２の要素（１５）が形成され、そのくり抜き領域（１０）に該当するところが空洞のような状態に形成されているが、これはあくまでも模式的に表現したものであり、実際の印刷媒体（１）において、空洞が存在している訳ではない。印刷媒体の層構成として、基材（７）上に、くり抜き領域（１０）を有する隠ぺい層（８）を形成し、その上に画像形成層（９）を形成するという意味であり、その際、隠ぺい層（８）の存在しないくり抜き領域（１０）と同じ位置に画像形成層（９）を構成する第２の要素（１５）が印刷されているということである。
【０２１８】
このような層構成及び要素構成の位置関係としたことで、前述のとおり第２の要素（１５）において、くり抜き領域（１０）を介して基材（７）の透過性を確認することが可能となる。また、くり抜き領域（１０）以外の領域については、白インキにより基材（７）の透過性を抑えているため、透過性のない状態で、白インキの上に印刷されているプロセスインキにより可視画像（３）が形成されていることとなる。
【０２１９】
実施例１にて作製した印刷媒体（１）を、照明光源が定位置の可視光源下の反射光（拡散光）下において肉眼で観察したところ、可視画像（３）である「Ａ」の文字を視認することができ、第一の潜像画像（４）は視認することができなかった。次に、実施例１にて作製した印刷媒体（１）を、照明光源が定位置の可視光源下の透過光下において肉眼で観察したところ、第２の要素（１５）は明るく視認され、第一の潜像画像（４）を視認することができた。
【０２２０】
可視光源下の透過光下において肉眼で視認した際、第一の潜像画像（４）を形成する第２の要素（１５）の透過光（Ｒ５）は、第１の要素（１４）の透過光（Ｒ４）よりも高くなり、その明度の差異によって、第２の要素（１５）と第１の要素（１４）の色差ΔＥが大きく変化したため、第一の潜像画像（４）を視認することが可能となった。
【０２２１】
さらに、実施例１にて作製した印刷媒体（１）を、赤外線光源下において、赤外線表示装置（ワテック株式会社製  ＣＣＤカメラＷＡＴ−７０４Ｒに富士写真フィルム株式会社製  シャープカットフィルターＩＲ−８０を装着したもの）を介して観察した。可視画像（３）は観察することができなかった。また、第２の要素（１５）で構成された第一の潜像画像（４）が暗く（黒っぽく）表示され、再度、第一の潜像画像（４）を明瞭に視認することができた。
【実施例２】
【０２２２】
実施例２として、図３５に示すように、右下部に本発明における透過潜像領域（２’）を形成したカード型の証明書（１’）を作製した。この証明書（１’）を可視光源下における反射光（拡散光）下で観察すると、透過潜像領域（２’）は、図３６（ａ）に示した「星」の図形を確認することができ、証明書（１’）を光源に対してすかして透過光下で確認すると、透過潜像領域（２’）は、図３６（ｃ）に示すようなゴシック体の「ＯＫ」の文字を視認することができ、赤外線光源（Ｋ）下において、赤外線表示装置等を介して観察した場合には、図３６（ｂ）に示したゴシック体の「合格」の文字を確認することができる。
【０２２３】
実施例２における証明書（１’）の基材（７’）は、０．２ｍｍの厚さを有する無色(透明)のＰＥＴフィルムを用いた。したがって、実施例２では、基材全面、すなわち、基材自体に透過性材料を用いたこととなる。
【０２２４】
次に、基材（７’）上の透過潜像領域（２’）以外を、白インキ（東洋インキ製造株式会社製  ＬＩＯＪＥＴ  ＦＶ０３  ホワイト）を用いてベタ刷りし、透過潜像領域（２’）は、同じ白インキを用いて、基材（７’）のＰＥＴフィルムの透過性を抑えるための第１の隠ぺい領域（１１’）及び基材（７’）の透過性を視認可能な程度の隠ぺい面積率となる第２の隠ぺい領域（１２’）を有するように隠ぺい層（８’）を形成した。
【０２２５】
なお、第１の隠ぺい領域（１１’）は、第１の隠ぺい面積率１００％（ベタ）で印刷し、第２の隠ぺい領域（１２’）は、第２の隠ぺい面積率１０％で印刷した。また、第２の隠ぺい領域（１２’）は、この白インキの上に印刷する画像形成層（９’）の第２の要素（１５’）と対応した（同じ）位置となっている。
【０２２６】
次に、白インキにより形成した隠ぺい層（８’）の上の全面に、プロセスインキ（東洋インキ製造株式会社製  ＬＩＯＪＥＴ  ＦＶ０３  シアン、マゼンタ、イエロー及びブラック）を用いて画像形成層（９’）を形成した。この画像形成層（９’）については、透過潜像領域（２’）以外は網点による通常の印刷を行い、透過潜像領域（２’）は、図１９（ｂ）に示すような第２の実施形態における第２の要素構成により図３６（ａ）の模様を形成した。
【０２２７】
なお、画像形成層（９’）の透過潜像領域（２’）におけるそれぞれの要素は、ピッチ６００μｍで等間隔の配置を成す直万線状の画線とした。第１の要素（１４’）は、最大画線幅（Ｗ１）を３００μｍとし、最小画線幅（Ｗ２）を１８０μｍとした。第３の要素（１６’）は、最大画線幅（Ｗ５）を１８０μｍとし、最小画線幅（Ｗ６）を１１０μｍとした。第２の要素（１５’）は、最大画線幅（Ｗ３）を１１０μｍとし、最小画線幅（Ｗ４）を３０μｍとした。
【０２２８】
また、画像形成層（９’）は、図２９に示す第２の実施形態の三つ目の態様により形成した。第１の要素（１４’）は、プロセスインキ（東洋インキ製造株式会社製  ＬＩＯＪＥＴ  ＦＶ０３  シアン、マゼンタ及びイエロー）を重ね合わせて黒色に印刷した。図３６（ａ）に示した「星」の図形の階調に合わせ、第１の要素（１４’）の画線幅を最大画線幅（Ｗ１）３００μｍ、最小画線幅（Ｗ２）１８０μｍの範囲内で変化させ、可視画像（３’）を形成した。
【０２２９】
次に、第３の要素（１６’）を第１の要素（１４’）内に形成した。この第３の要素（１６’）によって形成する第二の潜像画像（５’）を、反射光（拡散光）下において視認させないために、第３の要素（１６’）は、反射光（拡散光）下において、第１の要素（１４’）と等色となるようにプロセスインキ（東洋インキ製造株式会社製  ＬＩＯＪＥＴ  ＦＶ０３  ブラック）を用いて印刷した。図３６（ｂ）に示したゴシック体の「合格」の階調に合わせ、第３の要素（１６’）の画線幅を最大画線幅（Ｗ５）１８０μｍ、最小画線幅（Ｗ６）１１０μｍの範囲内で変化させ、第二の潜像画像（５’）を形成した。反射光（拡散光）下における、第１の要素（１４’）と第３の要素（１６’）との色差ΔＥは１．０５であった。
【０２３０】
次に、第２の要素（１５’）は、前述のとおり、隠ぺい層（８’）の第２の隠ぺい領域（１２’）と同じ位置に形成した。したがって、画像形成層（９’）の第２の要素（１５’）と隠ぺい層（８’）の第２の隠ぺい領域（１２’）が同じ位置となっていることから、その領域は、第２の要素（１５’）を介し、更にその下の層の第２の隠ぺい領域（１２’）を介して、基材（７’）のＰＥＴフィルムを確認することができる状態となっている。
【０２３１】
この第２の要素（１５’）によって形成する第一の潜像画像（４’）を、反射光（拡散光）下において視認させないために、第２の要素（１５’）は、反射光（拡散光）下において第３の要素（１６’）と等色となるようにプロセスインキ（東洋インキ製造株式会社製  ＬＩＯＪＥＴ  ＦＶ０３  ブラック）を用いて印刷した。図３６（ｃ）に示したゴシック体の「ＯＫ」の階調に合わせ、第２の要素（１５’）の画線幅を最大画線幅（Ｗ３）１１０μｍ、最小画線幅（Ｗ４）３０μｍの範囲内で変化させ、第一の潜像画像（４’）を形成した。反射光（拡散光）下における、第２の要素（１５’）と第３の要素（１６’）との色差ΔＥは０．８８であった。
【０２３２】
実施例２の証明書（１’）における透過潜像領域（２’）の構成と、その透過潜像領域（２’）以外の領域における構成を模式的に示したのが図３７である。図３７（ａ）は、透過潜像領域（２’）以外の領域の網点構成を示しており、透過性の基材（７’）である無色(透明)のＰＥＴフィルムの上に白インキが印刷され、更にその上に、プロセスインキにより可視画像（３）を形成するための網点が印刷されている。
【０２３３】
図３７（ｂ）は、透過潜像領域（２’）の構成を示しており、Ｚ１−Ｚ２における断面図を示すのが図３７（ｃ）である。図３７（ｂ）に示すように、透過性の基材（７’）である無色(透明)のＰＥＴフィルムの上に、第１の隠ぺい領域（１１’）及び第２の隠ぺい領域（１２’）が白インキにより印刷され、第１の隠ぺい領域（１１’）の上には、第１の要素（１４’）を印刷し、第１の要素（１４’）内に第３の要素（１６’）を印刷し、第２の隠ぺい領域（１２’）の上には、第２の要素（１５’）を印刷した。特に、この第２の隠ぺい領域（１２’）と第２の要素（１５’）については、同じ位置となるように印刷してある。
【０２３４】
このような層構成及び要素構成の位置関係としたことで、前述のとおり第２の要素（１５’）において、第２の隠ぺい領域（１２’）を介して基材（７’）の透過性を確認することが可能となる。また、第２の隠ぺい領域（１２’）以外の領域については、白インキのベタ印刷により基材（７）の透過性を抑えているため、透過性のない状態で、白インキの上に印刷されているプロセスインキにより可視画像（３’）が形成されていることとなる。
【０２３５】
実施例２にて作製した印刷媒体（１’）を、照明光源が定位置の可視光源下の反射光（拡散光）下において肉眼で観察したところ、図３６（ａ）に示した「星」の図形の可視画像（３’）を視認することができ、第一の潜像画像（４’）及び第二の潜像画像（５’）は、視認することができなかった。次に、実施例２にて作製した印刷媒体（１’）を、照明光源が定位置の可視光源下の透過光下において肉眼で観察したところ、第２の要素（１５’）は、明るく視認され、図３６（ｃ）に示した「ＯＫ」の文字の第一の潜像画像（４’）を視認することができた。
【０２３６】
可視光源下の透過光下において肉眼で視認した際、第一の潜像画像（４’）を形成する第２の要素（１５’）の透過光（Ｒ５）は、第１の要素（１４’）及び第３の要素（１６’）の透過光（Ｒ４）よりも高くなり、その明度の差異によって、第２の要素（１５’）と第３の要素（１６’）の色差ΔＥが大きく変化したため、第一の潜像画像（４’）を視認することが可能となった。
【０２３７】
さらに、実施例２にて作製した印刷媒体（１’）を、赤外線光源下において、赤外線表示装置（ワテック株式会社製  ＣＣＤカメラＷＡＴ−７０４Ｒに富士写真フィルム株式会社製  シャープカットフィルターＩＲ−８０を装着したもの）を介して観察した。可視画像（３’）は観察することができなかった。また、第２の要素（１５’）は、暗く（黒っぽく）表示され、第３の要素（１６’）も、暗く（黒っぽく）表示された。よって、第３の要素（１６’）で形成された、図３６（ｂ）に示したようなゴシック体の「合格」という文字の第二の潜像画像（５’）を視認することができた。なお、第２の要素（１５’）は、可視光源下の反射光（拡散光）下で第３の要素（１６’）と等色であり、赤外吸収色素を含む色材を用いていることから、赤外線領域において、第２の要素（１５’）及び第３の要素（１６’）は、識別することができないので、第二の潜像画像（５’）内に形成した第一の潜像画像（４’）は、視認することができなかった。それにより、第二の潜像模様（５’）のみを観察することができた。
【符号の説明】
【０２３８】
１、１’          透過潜像画像を有する印刷媒体
２、２’          透過潜像領域
３、３’          可視画像
４、４’          第一の潜像画像
５、５’          第二の潜像画像
６、６’          透過性材料
７、７’          基材
８、８’          隠ぺい層
９、９’          画像形成層
１０、１０’          くり抜き領域
１１、１１’          第１の隠ぺい領域
１２、１２’          第２の隠ぺい領域
１４、１４’          第１の要素
１４ａ          第１の模様部
１４ｂ          第１の背景部
１５、１５’          第２の要素
１５ａ          第２の模様部
１５ｂ          第２の背景部
１６、１６’          第３の要素
１６ａ          第３の模様部
１６ｂ          第３の背景部
１８          無色の透過性材料
１９ａ、１９ｂ          有色の透過性材料
Ｒ          可視光源
Ｋ          赤外線光源
ｄ１          第１のピッチ
ｄ２          第２のピッチ
Ｌ１          所定の範囲
Ｘ            第一の方向
Ｙ            第二の方向
【図１】
2012061775.tif 000003
【図２】
2012061775.tif 000004
【図３】
2012061775.tif 000005
【図４】
2012061775.tif 000006
【図５】
2012061775.tif 000007
【図６】
2012061775.tif 000008
【図７】
2012061775.tif 000009
【図８】
2012061775.tif 000010
【図９】
2012061775.tif 000011
【図１０】
2012061775.tif 000012
【図１１】
2012061775.tif 000013
【図１２】
2012061775.tif 000014
【図１３】
2012061775.tif 000015
【図１４】
2012061775.tif 000016
【図１５】
2012061775.tif 000017
【図１６】
2012061775.tif 000018
【図１７】
2012061775.tif 000019
【図１８】
2012061775.tif 000020
【図１９】
2012061775.tif 000021
【図２０】
2012061775.tif 000022
【図２１】
2012061775.tif 000023
【図２２】
2012061775.tif 000024
【図２３】
2012061775.tif 000025
【図２４】
2012061775.tif 000026
【図２５】
2012061775.tif 000027
【図２６】
2012061775.tif 000028
【図２７】
2012061775.tif 000029
【図２８】
2012061775.tif 000030
【図２９】
2012061775.tif 000031
【図３０】
2012061775.tif 000032
【図３１】
2012061775.tif 000033
【図３２】
2012061775.tif 000034
【図３３】
2012061775.tif 000035
【図３４】
2012061775.tif 000036
【図３５】
2012061775.tif 000037
【図３６】
2012061775.tif 000038
【図３７】
2012061775.tif 000039